(57)【要約】【課題】誰にでも簡便、確実、軽量、安価に屋上を緑化することが出来るようにする。【解決手段】防水材４０の周縁４１を立ち上げて構成した二次水槽４２に格子枠４５を嵌め込み、その格子枠の凹部６９に保水機能を有するブロック１４を嵌め込んで形成した緑化パネル５１を屋上に敷き詰め、その上に敷き込んだ砂防シート６３の上に天然芝生を敷設する。ブロックは、その周縁１５に接する外接円１６の直径が７０〜４２０ｍｍとなるサイズｐ・ｑにし、天然芝生の上を踏み歩く足跡６６がブロック間の目地６８に出来、歩行者の体重が緑化パネル５１の格子枠全体４５に分散して体が安定に支えられるようにする。ブロックの内部には一次水槽３０を形成するか、又は、平板素材２５の集積体によってブロックを構成し、その平板素材間の空隙１８に水分が蓄えられるようにする。一次水槽には糸束２２を装填するとよい。平板素材には繊維製内装材の廃棄物が使用される。【選択図】図３
2010022312.tif 000002
【特許請求の範囲】
【請求項１】
（イ）  断面において表面（１１）と底面（１２）が平行に向かい合っており、その表面（１１）から底面（１２）へと続く正面と背面と左右側面との周囲４面を構成する周側面（１３）が筒形形状を成す立体構造のブロック（１４）であり、
（ロ)   周側面（１３）に囲まれるブロック（１４）の内部に、表面（１１）から底面（１２）へと続く空隙（１８）を有し、
（ハ)   表面（１１）の周縁（１５）に接する表面外接円（１６）と底面（１２）の周縁に接する底面外接円の各直径（Ｄo ) が共に７０〜４２０ｍｍであり、
（ニ)   表面（１１）の周縁（１５）に接する表面内接円（１７）と底面（１２）の周縁に接する底面内接円の各直径（Ｄi ) が共に５０ｍｍ以上であり、
（ホ)   表面（１１）から底面（１２）に至るブロック（１４）の厚み（Ｔ) が、２０ｍｍ以上であり、且つ、表面内接円（１７）と底面内接円の各直径（Ｄi ) 以下である天然芝生植栽ブロック。
【請求項２】
表面外接円（１６）と底面外接円の各直径（Ｄo ) が７０〜２３０ｍｍである前掲請求項１に記載の天然芝生植栽ブロック。
【請求項３】
表面（１１）が、敷き詰め可能な正三角形、対内角の和が１８０°の四辺形（矩形、菱形）、正六角形の何れかの形状を成している前掲請求項１〜２の何れかに記載の天然芝生植栽ブロック。
【請求項４】
ブロック（１４）が填料を装填し得る容器式ブロックであり、周側面（１３）に囲まれるブロック（１４）の内部の空隙（１８）が填料を装填し得る空洞（１９）になっており、周側面（１３）が空洞（１９）を囲む厚み（Ｓ）が１〜５ｍｍの周壁（２０）を構成している前掲請求項１〜３の何れかに記載の天然芝生植栽ブロック。
【請求項５】
周側面（１３）に囲まれる容器式ブロック（１４）の内部の空洞（１９）に多孔質填料（２１）が挿填されている前掲請求項４に記載の天然芝生植栽ブロック。
【請求項６】
容器式ブロック（１４）の内部の空洞（１９）に挿填されている多孔質填料（２１）が繊維破片（５７）の堆積物である前掲請求項５に記載の天然芝生植栽ブロック。
【請求項７】
容器式ブロック（１４）の内部の空洞（１９）に挿填されている多孔質填料（２１）が多数の繊維糸条を締束して成る糸束（２２）であり、その繊維糸条の長さ方向が容器式ブロック（１４）の厚み（Ｔ）方向に向けられている前掲請求項５に記載の天然芝生植栽ブロック。
【請求項８】
容器式ブロック（１４）の内部の空洞（１９）に挿填されている糸束（２２）が扁平断面形状の多数の繊維糸条を締束して成り、容器式ブロック（１４）の底面側において多数の繊維糸条の端末（２３）が互いに溶着して一体化されており、ブロック（１４）の表面側において多数の繊維糸条の端末（２４）が互いに分離している前掲請求項７に記載の天然芝生植栽ブロック。
【請求項９】
容器式ブロック（１４）の内部の空洞（１９）に挿填されている多孔質填料（２１）が多数の平板素材（２５）を集積して成り、その平板素材（２５）の厚み（ｔ）方向が容器式ブロック（１４）の厚み（Ｔ）方向に直交する方向に向けられており、多数の平板素材間（２５・２５）にブロックの表面（１１）から底面（１２）に続く隙間（２６）が介在している前掲請求項５に記載の天然芝生植栽ブロック。
【請求項１０】
多孔質填料（２１）を構成している平板素材（２５）が布帛の破断片である前掲請求項９に記載の天然芝生植栽ブロック。
【請求項１１】
多孔質填料（２１）を構成している平板素材（２５）の布帛が、基布からパイルが突き出たウイルトンカーペット、基布からパイルが突き出たタフテッドカーペット、繊維が絡みあったフェルトカーペットの何れかを包含している前掲請求項１０に記載の天然芝生植栽ブロック。
【請求項１２】
カーペットが合成樹脂組成物に成る１ｍｍ以上の厚みの裏打層を有するタイルカーペットである前掲請求項１１に記載の天然芝生植栽ブロック。
【請求項１３】
多孔質填料（２１）を構成している多数の平板素材（２５）が結束部材（２７）によって結束されている前掲請求項９〜１２の何れかに記載の天然芝生植栽ブロック。
【請求項１４】
容器式ブロック（１４）の内部の空洞（１９）に挿填されている多孔質填料（２１）が顆粒（５６）を堆積して構成されている前掲請求項５に記載の天然芝生植栽ブロック。
【請求項１５】
堆積されて多孔質填料（２１）を構成している顆粒（５６）がプラスチックを包含している前掲請求項１４に記載の天然芝生植栽ブロック。
【請求項１６】
堆積されて多孔質填料（２１）を構成している顆粒（５６）が土砂鉱物を含有している前掲請求項１４に記載の天然芝生植栽ブロック。
【請求項１７】
周側面（１３）に囲まれるブロック（１４）の内部の空洞（１９）の表面側（１１）において向き合う周縁（１５）と周縁（１５）の間に桿材（２８）が架け渡されており、その桿材（２８）によってブロックの表面（１１）が仕切られており、その仕切る桿材（２８）が複数の網目隙間（２９）から成る網目構造を構成している前掲請求項４〜１６の何れかに記載の天然芝生植栽ブロック。
【請求項１８】
周側面（１３）に囲まれる容器式ブロック（１４）の内部の空洞（１９）の底面側（１２）において向き合う周縁（１５）と周縁（１５）の間に桿材（２８）が架け渡されており、その桿材（２８）によってブロックの底面（１２）が仕切られており、その仕切る桿材（２８）が複数の網目隙間（２９）から成る網目構造を構成している前掲請求項４〜１７の何れかに記載の天然芝生植栽ブロック。
【請求項１９】
周側面（１３）に囲まれる容器式ブロック（１４）の内部の空洞（１９）が底面側（１２）において塞がれており、ブロック（１４）が一次水槽（３０）を構成している前掲請求項４〜１７の何れかに記載の天然芝生植栽ブロック。
【請求項２０】
空洞（１９）を囲む周側面（１３）の底面（１２）から表面（１１）に到る間に溢水口（３１）が設けられており、一次水槽（３０）の水位が表面（１１）に達しないようになっている前掲請求項１９に記載の天然芝生植栽ブロック。
【請求項２１】
平板素材（２５）を集積し、平板素材（２５）の厚み（ｔ）方向をブロック（１４）の厚み（Ｔ）方向に直交する方向に向け、ブロック（１４）の表面（１１）と底面（１２）を平板素材（２５）の断面（３２）によって構成し、ブロック（１４）の正面（３３）と背面（３４）をそれぞれ平板素材（２５）の平板面（３５）によって構成し、ブロック（１４）の左右側面（３６）を平板素材（２５）の側縁（３７）によって構成し、平板素材相互間（２５・２５）の隙間（２６）がブロック（１４）の表面（１１）から底面（１２）へと続く空隙（１８）を構成している請求項１に記載の天然芝生植栽ブロック。
【請求項２２】
天然芝生植栽ブロック（１４）を構成している平板素材（２５）が布帛の破断片である前掲請求項２１に記載の天然芝生植栽ブロック。
【請求項２３】
天然芝生植栽ブロック（１４）を構成している多数の平板素材（２５）が集積されて結束部材（２７）によって結束されている前掲請求項２１〜２２の何れかに記載の天然芝生植栽ブロック。
【請求項２４】
断面において表面（１１）と底面（１２）が平行に向かい合っており、その表面（１１）から底面（１２）へと続く正面と背面と左右側面との周囲４面を構成する周側面（１３）が筒形形状を成す立体構造のブロック（１４）の表面（１１）の上に天然芝生（３８）の植栽層（３９）が積層されている前掲請求項１〜２３の何れかに記載の天然芝生植栽ブロック。
【請求項２５】
（１）  断面において表面（１１）と底面（１２）が平行に向かい合っており、その表面（１１）から底面（１２）へと続く正面と背面と左右側面との周囲４面を構成する周側面（１３）が筒形形状を成し、（２)   周側面（１３）に囲まれるブロック（１４）の内部に表面（１１）から底面（１２）へと続く空隙（１８）を有し、（３)   表面（１１）の周縁（１５）に接する表面外接円（１６）と底面（１２）の周縁に接する底面外接円の各直径（Ｄo ) が共に４２０ｍｍ以下であり、（４)   表面（１１）の周縁（１５）に接する表面内接円（１７）と底面（１２）の周縁に接する底面内接円の各直径（Ｄi ) が共に５０ｍｍ以上であり、（５)   表面（１１）から底面（１２）に至るブロックの厚み（Ｔ) が２０ｍｍ以上であり且つ表面内接円（１７）と底面内接円の各直径（Ｄi ) 以下である第１ブロックと第２ブロックとの２つのブロック（１４・１４）から成り、（６)   第１ブロックが容器式ブロック（１４Ａ）であり、第２ブロックが容器式または平板素材製ブロック（１４Ｂ）であり、（７)   容器式第１ブロック（１４Ａ）が第２ブロック（１４Ｂ）に外嵌し、第２ブロック（１４Ｂ）が容器式第１ブロック（１４Ａ）の空洞（１９Ａ）に挿抜自在に内嵌している天然芝生植栽ブロック。
【請求項２６】
容器式第１ブロック（１４Ａ）の表面側（１１）において向き合う周縁（１５）と周縁（１５）の間に桿材（２８）が架け渡されており、その桿材（２８）によって容器式第１ブロック（１４Ａ）の表面（１１）が仕切られており、その仕切る桿材（２８）が複数の網目隙間（２９）から成る網目構造を構成している前掲請求項２５に記載の天然芝生植栽ブロック。
【請求項２７】
第２ブロック（１４Ｂ）が容器式ブロックであり、その底面側（１２）において向き合う周縁（１５）と周縁（１５）の間に桿材（２８）が架け渡されており、その桿材（２８）によって容器式第２ブロック（１４Ｂ）の底面（１２）が仕切られており、その仕切る桿材（２８）が複数の網目隙間（２９）から成る網目構造を構成している前掲請求項２５〜２６の何れかに記載の天然芝生植栽ブロック。
【請求項２８】
第２ブロック（１４Ｂ）が容器式ブロックであり、その底面側（１２）において塞がれており、容器式第２ブロック（１４Ｂ）が一次水槽（３０）を構成している前掲請求項２５〜２６の何れかに記載の天然芝生植栽ブロック。
【請求項２９】
容器式第２ブロック（１４Ｂ）の空洞（１９Ｂ）に、（１）  繊維破片（５７）の堆積物、（２）  長さ方向を容器式第２ブロック（１４Ｂ）の厚み（Ｔ）方向に向けられた多数の繊維糸条を締束して成る糸束（２２）、（３）  長さ方向を容器式第２ブロック（１４Ｂ）の厚み（Ｔ）方向に向けられた多数の繊維糸条の一端（２３）が互いに溶着して一体化されており、それら多数の繊維糸条の他端（２４）が互いに分離している糸束（２２）、（４）  多数の平板素材（２５）を集積して成り、その平板素材（２５）の厚み（ｔ）方向が容器式第２ブロック（１４Ｂ）の厚み（Ｔ）方向に直交する方向に向けられており、多数の平板素材間（２５・２５）に隙間（２６）が介在している平板素材集積体、（５）  多数の布帛の破断片（２５）を集積して成り、その布帛の破断片（２５）の厚み（ｔ）方向が容器式第２ブロック（１４Ｂ）の厚み（Ｔ）方向に直交する方向に向けられており、多数の布帛の破断片間（２５・２５）に隙間（２６）が介在している布帛破断片集積体（６５）、（６）  多数のカーペットの破断片（２５）を集積して成り、そのカーペットの破断片（２５）の厚み（ｔ）方向が容器式第２ブロック（１４Ｂ）の厚み（Ｔ）方向に直交する方向に向けられており、多数のカーペットの破断片間（２５・２５）に隙間（２６）が介在しているカーペット破断片集積体（６５）、（７）  多数の平板素材（２５）を集積して結束して成り、その平板素材（２５）の厚み（ｔ）方向が容器式第２ブロック（１４Ｂ）の厚み（Ｔ）方向に直交する方向に向けられており、多数の平板素材間（２５・２５）に隙間（２６）が介在している平板素材集積体（６５）、（８）  顆粒（５６）、の何れかの多孔質填料（２１）が挿填されている前掲請求項２５〜２８の何れかに記載の天然芝生植栽ブロック。
【請求項３０】
平板な防水材（４０）の周縁（４１）を立ち上げ、その立ち上げた防水材（４０）の周縁（４１）によって止水壁（４３）を構成した水槽（４２）と、水槽（４２）の中に縦横に配置されて交叉する複数条の仕切材（４４Ａ・４４Ｂ）によって構成されて水槽（４２）の中を縦横に仕切る格子枠（４５）とから成り、水槽（４２）の中を縦横に仕切る格子枠（４５）の仕切材（４４）が水槽（４２）の向かい合う止水壁（４３）から止水壁（４３）まで連続しており、その縦横に配置されて交叉する仕切材（４４Ａ・４４Ｂ）に囲まれる多数の凹部（６９）が格子枠内（４５）に構成されており、その凹部（６９）が直径７０〜４２０ｍｍの外接円（Ｄo ) に外接し且つ直径５０ｍｍ以上の内接円（Ｄi ) に内接する大きさである緑化パネル。
【請求項３１】
水槽（４２）の中を縦横に仕切る格子枠（４５）を構成している仕切材（４４Ａ）と仕切材（４４Ｂ）の交叉箇所において、その交叉する少なくとも何れか一方の仕切材（４４Ａ）に他方の仕切材（４４Ｂ）が嵌合する嵌合溝（４６）が設けられている前掲請求項３０に記載の緑化パネル。
【請求項３２】
前掲請求項１〜２９の何れかに記載のブロック（１４）が格子枠内（４５）の仕切材（４４Ａ・４４Ｂ）に囲まれる凹部（６９）に嵌め込まれて水槽（４２）に敷き詰められており、その緑化パネル（５１）の水槽（４２）がブロック（１４）に対する二次水槽を構成している前掲請求項３０〜３１の何れかに記載の緑化パネル。
【請求項３３】
格子枠（４５）の上に二次水槽（４２）の上に土砂の流入を防ぐための砂防シート（６３）が被せられている前掲請求項３０〜３２の何れかに記載の緑化パネル。
【請求項３４】
防水材（４０）の周縁（４１）を立ち上げて構成される二次水槽（４２）の止水壁（４３）の槽底（４７）からの高さ（ｈ）が、二次水槽（４２）に敷き詰めたブロック（１４）の表面（１１）に到る槽底（４７）からの高さ（Ｈ＝Ｔ）よりも低く（Ｈ≧ｈ）、ブロックの表面（１１）が二次水槽（４２）の水面（４８）よりも高く突出するようになっている前掲請求項３２〜３３の何れかに記載の緑化パネル。
【請求項３５】
周縁（４１）が立ち上げられて二次水槽（４２）を構成している防水材（４０）が一辺の長さが８０〜３５０ｃｍの矩形形状を成す前掲請求項３０〜３４の何れかに記載の緑化パネル。
【請求項３６】
防水材（４０）の周縁（４１）を立ち上げて構成した二次水槽（４２）の中に前掲請求項１〜２９の何れかに記載の２種類以上の仕様の異なる数種類のブロック（１４）が入り混じって敷き詰められている前掲請求項３０〜３５の何れかに記載の緑化パネル。
【請求項３７】
地上に固定された基盤（４９）の表面に仕切材（５０）によって縦横に仕切られて緑化パネル（５１）を嵌め込む凹部（５２）が形成されており、前掲請求項３０〜３６の何れかに記載の緑化パネル（５１）が、その凹部（５２）に嵌め込まれて、基盤（４９）の上に敷き詰められている緑化装置。
【請求項３８】
仕切材（５０）に仕切られて緑化パネル（５１）の敷き詰められる基盤（４９）の表面に防水処理が施されており、その基盤（４９）の周囲が堰（５４）に囲まれて三次水槽（５３）を構成している前掲請求項３７に記載の緑化装置。
【請求項３９】
基盤（４９）の表面に敷き込まれた防水シート（５５）の周縁が立ち上げられて三次水槽（５３）の堰（５４）が構成されている前掲請求項３８に記載の緑化装置。
【請求項４０】
基盤（４９）の表面に構成される三次水槽（５３）の堰（５４）の高さ（Ｘ）が、緑化パネル（５１）の止水壁（４３）の高さ（ｈ）よりも高く（Ｘ≧ｈ）、ブロック（１４）の表面（１１）に到る槽底（４７）からの高さ（Ｈ）よりも低く（Ｈ≧Ｘ）なっている前掲請求項３８〜３９の何れかに記載の緑化装置。
【請求項４１】
仕切材（４４・５０）を縦横に配置して前掲請求項１〜２９の何れかに記載のブロック（１４）と前掲請求項５〜１６および（２９）の何れかに記載の多孔質填料（２１）と前掲請求項３０〜３６の何れかに記載の緑化パネル（４１）の何れかを嵌込・装填する縦横の仕切材（４４・５０）に囲まれた凹部（５２・６９）を形成した格子枠（４５）の表面に足圧分散緩衝材兼用砂防シート（６３）を重ね合わせ、その格子枠（４５）の裏面に下敷き材を重ね合わせて嵌込・装填する前掲請求項１〜２９の何れかに記載のブロック（１４）と前掲請求項５〜１６および２９の何れかに記載の多孔質填料（２１）と前掲請求項３０〜３６の何れかに記載の緑化パネル（４１）の何れかの脱落を防ぐ凹部（５２・６９）の裏底を形成し、凹部（５２・６９）を貫通する連結材によって格子枠（４５）の表裏の足圧分散緩衝材兼用砂防シート（６３）と下敷き材を格子枠（４５）を介して連結し、表裏の足圧分散緩衝材兼用砂防シート（６３）と下敷き材と格子枠（４５）を一体化して成り、格子枠（４５）の少なくとも何れかの凹部（５２・６９）に前掲請求項１〜２９の何れかに記載のブロック（１４）と前掲請求項５〜１６および２９の何れかに記載の多孔質填料（２１）と前掲請求項３０〜３６の何れかに記載の緑化パネル（４１）の何れかが嵌込・装填されている緑化下敷きフレーム。
【請求項４２】
緑化下敷きフレームの格子枠（４５）の凹部（５２・６９）が、直径７０〜４２０ｍｍの外接円（Ｄo ) に外接し且つ直径５０ｍｍ以上の内接円（Ｄi ) に内接する大きさである前掲請求項４１に記載の緑化下敷きフレーム。
【請求項４３】
格子枠（４５）の表裏に重ね合わせる足圧分散緩衝材兼用砂防シート（６３）と下敷き材が、それぞれ１０〜５０ｍｍの間隔をもって太さが１〜７ｍｍの線状部材を縦横に配置したメッシュ材である前掲請求項４１と４２の何れかに記載の緑化下敷きフレーム。
【請求項４４】
防水材（４０）の周縁（４１）を立ち上げて構成した二次水槽（４２）に縦横の仕切材（４４Ａ・４４Ｂ）が交叉した格子枠（４５）を嵌め込み、その格子枠の縦横の仕切材（４４Ａ・４４Ｂ）に囲まれる凹部（６９）に、周縁（１５）に接する外接円（１６）の直径が７０〜４２０ｍｍとなるサイズ（ｐ・ｑ）の保水性ブロック（１４）を嵌め込んで形成した緑化パネル（５１）を屋上に敷き詰め、その上に敷き込んだ砂防シート（６３）の上に天然芝生（３８）を敷設する屋上緑化工法。
【請求項４５】
ブロック（１４）のサイズ（ｐ・ｑ）が、そのブロック（１４）の周縁（１５）に接する外接円（１６）の直径が７０〜２３０ｍｍとなるサイズとする前掲請求項４４に記載の屋上緑化工法。
【請求項４６】
ブロック（１４）に内部空洞（１９）を設け、その空洞（１９）の底面側（１２）を塞いでブロック内部に一次水槽（３０）を形成する前掲請求項４４と４５の何れかに記載の屋上緑化工法。
【請求項４７】
一次水槽（３０）に糸束（２２）を装填する前掲請求項４６に記載の屋上緑化工法。
【請求項４８】
ブロック（１４）を、多数の繊維質平板素材（２５）を集積した平板素材集積体（６５）によって構成し、平板素材間（２５・２５）に水分を蓄える空隙（１８）を設ける前掲請求項４４と４５の何れかに記載の屋上緑化工法。
【請求項４９】
前掲請求項４１に記載の緑化下敷きフレームを屋上の基盤（４９）に敷き詰め、周囲を堰で囲んで基盤（４９）の上に水槽を形成し、その敷き詰めた緑化下敷きフレームの上に天然芝生（３８）を敷設する屋上緑化工法。
【発明の詳細な説明】
【技術分野】
【０００１】
本発明は、主として屋上緑化に使用される天然芝生植栽ブロックと緑化パネルに関するものである。
【背景技術】
【０００２】
屋上緑化工法には、係脱自在に繋ぎ合わせて敷き詰められるブロックに排水孔を底面に設けた多数の凹部を碁盤状に設け、その凹部に装填した土壌層に天然芝生を植栽する方法（例えば、特許文献１参照）、深さが０．５〜２．０ｃｍの平板な容器に培養土を装填して盛り上げ、その培養土に天然芝生を植栽する方法（例えば、特許文献２参照）、係脱自在に繋ぎ合わせて敷き詰められる基盤枠内に装填した培養土に天然芝生を植栽する方法（例えば、特許文献３参照）、発泡コンクリート容器に装填した培養土に天然芝生を植栽する方法（例えば、特許文献４参照）、排水溝付き導水シートに積層した土壌層に天然芝生を植栽する方法（例えば、特許文献５参照）、ポットを並べたパネルの各ポットに天然芝生を植栽する方法（例えば、特許文献６参照）等が知られている。しかし、これらの屋上緑化工法では、何れも培養土が使用されており、培養土を装填する容器自体も重く、既存建築物の屋上緑化には不向きである。
【０００３】
本願発明者は、水耕栽培式プランターを屋上に並べ、プランター間を給水パイプで連結し、その並べた全てのプランターに同時に給水して屋上を緑化する方法（例えば、特許文献７参照）や、屋上に設けた広大な水槽に有孔基盤に成る表面と底面の間に５〜３０ｃｍ間隔でスペーサーを配置して形成した空隙層に繊維集積物を挿填すると共に表面に天然芝生の植栽層を形成した緑化パネルを敷き詰めて屋上を緑化する方法（例えば、特許文献８参照）を開示している。
【０００４】
【特許文献１】特開平０７−０７９６３８号公報
【特許文献２】特開２００２−０１７１７０号公報
【特許文献３】特開２００３−０６１４５７号公報
【特許文献４】特開２００５−３４１８６９号公報
【特許文献５】特開２００７−２８９２０７号公報
【特許文献６】特開２００８−０１７８５０号公報
【特許文献７】特開平１１−２８９８６４号公報
【特許文献８】特開２００１−４９６７０号公報
【発明の開示】
【発明が解決しようとする課題】
【０００５】
本願発明者が特許文献７に開示したプランターを給水ポンプで連結する方法（以下、先願技術１と言う。）では、プランターと給水ポンプとの接合箇所の防水処理に格別な技術を要し、プランター自体が太陽光を受けて劣化して亀裂し破損し易く、脆化して汚れ易く、又、その連結するプランターとプランターの間に給水ポンプを配置するためのスペースを要するので、屋上の全面を隙間なくプランターで埋め尽くすことは出来ず、先願技術１による完全な屋上緑化は困難である。
【０００６】
本願発明者が特許文献８に開示した表面と底面が有孔基盤に成る緑化パネルを水槽に敷き詰める方法（以下、先願技術２と言う。）では、（１）  一般市販のプラスチックフィルムの幅は概して２ｍ以下であり、縦横寸法が２ｍを超える広大な水槽を形成することは難しく、（２）  仮に端々を溶着して広幅のプラスチックフィルムを形成することが出来たとしても、その継ぎ目での防水処理には格別な技術を要し、（３）  コールタールやビチューメンによる防水層を何層にも重ねて積層する在来の防水工事によるときは、緑化パネルを敷き詰めるための水槽がコスト高になると共に、その水槽が高重量物になるので、既設の屋上緑化には不向きであり、（４）  緑化パネルを表面の有孔基盤と底面の有孔基盤をスペーサーで連結して一体成形するためには大型のプラスチック成形機と金型を必要とするが、そのような大型のプラスチック成形機を備えたプラスチック成形業者は少なく、その金型も高価なことから、先願技術２の実用化が頓挫している。
【０００７】
本願発明者は、ホームセンターから排出される苗鉢用トレーを利用して表面と底面の有孔基盤をスペーサーで連結した先願技術２に係る緑化パネルを手作りで造り、それに繊維集積物を挿填し、その上に天然芝生を戴設して植栽する緑化実験を、１９９７年と２００１年の２期にわたって開始している。１９９７年開始の第１期実験では、建物３階のパラペット（ベランダ）に下基布と厚手のビニールフィルムと上基布を重ね敷き積層し、その積層の周囲をレンガで囲んで立ち上げて、深さ約５ｃｍ、面積約２ｍ2 の水槽を構成し、その水槽に敷き詰めた緑化パネルの上に天然芝生を戴設して緑化実験を開始し、その実験開始の３年後に一度だけ消石灰を散布し、そのまま放置して現在に至るが、天然芝生の葉軸は綺麗に生い茂り、茎はレンガを越えて伸び、水槽の周囲も葉軸によって緑化されている。
【０００８】
２００１年開始の第２期実験では、屋根裏施工用ルーヒングを二重に敷き込んだ幅約４５ｃｍ、長さ約１０ｍの水路状水槽と、幅約４０ｃｍ、奥行約６０ｃｍ、深さ約７ｃｍの苗鉢用トレーに、カーボンブラックを練り込んだ厚み約４０μｍのポリプロピレン黒色フィルムを二重に敷き込んだ簡易水槽を、それとは別に苗鉢用トレーを積み上げて嵩上げした棚状基盤の上に縦６列・横６列に並べ、その配列した苗鉢用トレーの周囲を積み上げたレンガで囲んで外観を整えた嵩上げ花壇に敷き込み、その水路状水槽と嵩上げ花壇に並べた簡易水槽との各水槽に、第１期実験と同様に手作り緑化パネルを嵌め込み、その上に天然芝生を戴設して緑化実験を開始した。
【０００９】
第２期実験の水路状水槽は、その実験開始の５年後に漏水が生じているものと思われたがそのまま放置し、実験開始の７年目（２００８年）に全ての緑化パネルを引き揚げて見ると、加水分解によるものと思われるところ、ルーヒングは到る処で裂け、その裂け目からドクダミが芽を出して繁茂していることが確認された。
【００１０】
第２期実験の花壇に並べた簡易水槽では、その実験開始の５年後に一部の簡易水槽に漏水が生じているものと思われたがそのまま放置し、実験開始後の７年目（２００８年）に、その漏水が生じているものと思われる簡易水槽の緑化パネルを引き揚げ、その水槽に水を満たして見たところ、その底面から水が滴り落ち、そのポリプロピレン黒色フィルムの何れかの箇所にピンホールが生じていることが確認された。その実験開始の５年後に簡易水槽に漏水が生じていると思われた由縁は、緑化パネルの全面で生い茂っていた天然芝生が、その５年後には緑化パネルの内側中央部において枯れて緑化パネルが露になり、ただ緑化パネルの周縁部分の天然芝生だけが枯れずに生い茂っていたことによる。嵩上げ花壇に敷き込んだ他の一部の簡易水槽では、実験開始後の７年目（２００８年）の現在においても天然芝生が綺麗に生い茂っている。そのことからして、緑化パネルに挿填した繊維集積物の挿填量が、プラスチック黒色フィルムの劣化と天然芝生の生育に大きく影響しているものと思われた。
【００１１】
本願発明者は、上記実験によって次の知見を得た。
（１）  繊維集積物は、鉱物質土壌と同様に保水性を有し、その緑化パネルへの挿填量が多ければ、繊維集積物による太陽光の赤外線や熱線などの電磁波遮蔽効果も高まってプラスチック黒色フィルムが劣化し難く、又、繊維集積物の保水機能も高まり、仮にピンホールによる漏水が生じても、天然芝生が枯れ難くなる。
（２）  嵩上げ花壇に敷き込まれた一部の簡易水槽にピンホールが生じて貯水機能が損なわれても、それに隣り合う他の簡易水槽が貯水していれば、その貯水している簡易水槽に敷き込まれた天然芝生の茎が、その隣り合う貯水機能の失われた簡易水槽の緑化パネルへと伸び、その隣り合う緑化パネルの緑化状態が辛うじて維持される。
（３）  嵩上げ花壇に敷き込まれた一部の簡易水槽にピンホールが生じて貯水機能が損なわれても、それに隣り合う他の簡易水槽が貯水していれば、隣り合う簡易水槽と簡易水槽の間の僅かな隙間に降ろした天然芝生の根は、隣り合う簡易水槽の側壁間に挟まれて乾燥し難く、その根に続く緑化パネルの周縁部分の天然芝生だけが枯れずに茂り続ける。
（４）  屋上緑化のためには、屋上の全面を覆う連続した広大な水槽は必ずしも必要ではなく、小さな水槽が点在していても、その点在する水槽と水槽の間の距離が、天然芝生の茎が伸びる範囲であれば、その水槽と水槽の間の水のない部分では、その点在する水槽の水を得て生育する天然芝生から伸びた茎によって緑化される。
（５）  水槽に配置された緑化パネルでは、それに保水機能を有する細かい隙間があれば、水槽の水が枯れても、その緑化パネルの内部の隙間に降ろした天然芝生の根は、その隙間に囲まれていて乾燥し難く、生命力を保ち続ける。
（６）  ルーヒング等の可撓性に富むプラスチック黒色フィルムでは、その素材である高分子物質（ポリマー）が耐候性を有するとしても、その可撓性を保つために配合される可塑剤その他の助剤が加水分解を起こし、或いは、その加水分解を太陽光の赤外線や熱線などの電磁波が促進し、プラスチック黒色フィルムが劣化・変質・脆化してピンホールが生じ易くなる。
（７）  緑化パネルに挿填される繊維集積物の挿填量が多ければ、太陽光の赤外線や熱線などの電磁波が繊維集積物に奪われ、水槽を構成するプラスチック黒色フィルムが劣化・変質・脆化し難くなる。
（８）  繊維集積物は、形状が不安定で取り扱い難く押し潰され易く、緑化パネルに装填し難く、その使用に手間取り、その使用においては定形性のある形状にブロック化する必要がある。
【００１２】
本願発明者は、更に、タイル敷き床面や路面での足跡を見るとき、履物のサイズが概して３０ｃｍ前後であることからして、サイズが８ｃｍ、１０ｃｍ、１５ｃｍ、２０ｃｍ、３０ｃｍ等の３０ｃｍ以下のタイル敷き床面や路面では足跡の多くはタイル間の目地（継ぎ目）に出来、サイズが履物のサイズと同じ３０ｃｍ前後のタイルにおいても１個のタイルにだけ足跡が纏まって出来ることは稀であり、このことからして、緑化パネルのサイズを３０ｃｍ以下にするときは、上記特許文献８に開示した緑化パネルのように、表面と底面の間にスペーサーを配置する必要がないものと思われた。そして、サイズが３０ｃｍ以下で直径が４２０ｍｍ以下の外接円に囲まれる緑化パネル、特に、サイズが１５ｃｍ以下で直径が２３０ｍｍ以下の外接円に囲まれる緑化パネルでは、プラスチック成形に使用される金型も小さく、従って、大型のプラスチック成形機を必要とせず、種々のプラスチック容器に汎用される小型のプラスチック成形機によって緑化パネルを成形することが出来、在来のコンクリートブロックやレンガに比して遥かに軽く持ち運び易いことから、屋上に施工し易く、それによる屋上緑化が現実的に実施可能となる、との知見を得た。
【００１３】
本願発明者は、更に、繊維集積物と土壌（土砂）との貯水機能と保水機能調べ、繊維集積物の貯水機能が土壌の貯水機能に比して著しく大きく、又、繊維集積物の保水機能が土壌の保水機能に比して著しく大きい、との知見を得た。即ち、充分に圧縮したカーペットの裁断片の集積圧縮物の貯水可能な微細隙間の容積は、その集積圧縮物の容積の６０〜８０容積％であるが、畑の充分に乾燥した土壌に含まれる貯水可能な微細隙間の容積は、その乾燥土壌の３０〜４０容積％であり、カーペットの厚みが５ｃｍの集積圧縮物の微細隙間の容積は、畑の乾燥土壌の厚みが５ｃｍの堆積物の微細隙間の容積の２〜３倍もあり、カーペットの集積圧縮物の貯水機能は、畑の乾燥土壌の貯水機能に比して著しく大きく、カーペットの厚みが５ｃｍの集積圧縮物は、畑の乾燥土壌の厚みが１５ｃｍの堆積物と同等の貯水機能を有する。
このことは、室内での実験結果によるものであるが、そのカーペットを集積した厚みが５ｃｍの集積圧縮物の微細隙間に蓄えられた水分は約４５日間に亙って保持されていたが、堆積厚み５ｃｍの畑の乾燥土壌の堆積物の微細隙間に蓄えられた水分は１５日間前後で完全に無くなって乾燥土壌の堆積物は絶乾状態になり、カーペットの集積圧縮物の保水機能が畑の乾燥土壌の堆積物の保水機能に比して優れている。そして、微細隙間の容積が６０〜８０容積％になるまで圧縮されたカーペットの集積圧縮物は、その上に体重を掛けて微細隙間の容積が６０容積％以下になるように更に圧縮することは困難である。
そのカーペットの集積圧縮物の嵩比重は概して０．３５であり、畑の乾燥土壌の堆積物の嵩比重は概して１．４０であり、カーペットの集積圧縮物の嵩比重は乾燥土壌の嵩比重の３０％以下であり、畑の乾燥土壌に比してカーペットの集積圧縮物は著しく軽い。
仮に、微細隙間の容積が６０容積％以下になるようカーペットの集積圧縮物を加圧し圧縮しても、その圧縮荷重を解除するとカーペットの集積圧縮物は元の嵩に弾性的に復元し、その微細隙間の容積は６０容積％以上になってしまい、圧縮された土壌のように固い塊を形成することはなく、微細隙間の容積が６０容積％以上の嵩高い繊維集合体の形態が弾性的に保たれる。
【００１４】
本願発明者は、その繊維集合体の上に天然芝生を戴設すると、その繊維間の隙間に根を降ろして天然芝生が生育する事実からして、軽量化の要求される屋上緑化には、カーペットその他の布帛の集積圧縮物が、乾燥土壌に代わる人工土壌として極めて有用である、との知見を得た。
【００１５】
本発明は、これらの知見に基づいて完成されたものであり、広大な水槽や大型の緑化パネルを使用することなく広大な屋上を簡便に緑化することを第１の目的とする。
本発明の第２の目的は、主として繊維業界から排出されるカーペットやタイルカーペットその他の布帛の耳端や、自動車内装材の仕立工程から排出される繊維製内装材の裁断屑、或いは、廃車される自動車に使用されていた内装材の廃棄物などの産業廃棄物を定形性のある形にブロック化して取り扱い易くし、それを有効活用して広大な屋上を簡便に緑化することにある。
本発明の第３の目的は、屋上緑化に使用後に廃棄される繊維質緑化資材を燃焼し易い形にブロック化し、固形燃料として有効活用し易くすることである。
【課題を解決するための手段】
【００１６】
本発明は、（イ）  断面において表面１１と底面１２が平行に向かい合っており、その表面１１から底面１２へと続く正面と背面と左右側面との周囲４面を構成する周側面１３が筒形形状を成す立体構造のブロック１４であり、（ロ)   周側面１３に囲まれるブロック１４の内部に、表面１１から底面１２へと続く空隙１８を有し、（ハ)   表面１１の周縁１５に接する表面外接円１６と底面１２の周縁に接する底面外接円の各直径（Ｄo ) が共に７０〜４２０ｍｍであり、（ニ)   表面１１の周縁１５に接する表面内接円１７と底面１２の周縁に接する底面内接円の各直径（Ｄi ) が共に５０ｍｍ以上であり、（ホ) 
表面１１から底面１２に至るブロック１４の厚み（Ｔ) が、２０ｍｍ以上であり、且つ、表面内接円１７と底面内接円の各直径（Ｄi ) 以下である天然芝生植栽ブロックを第１の特徴とする。
【００１７】
このように、ブロック１４の表面１１の周縁１５に接する表面外接円１６と底面１２の周縁に接する底面外接円の各直径（Ｄo ) が共に４２０ｍｍ以下にすると、履物のサイズが概して３０ｃｍ前後であることからして、足跡６６の多くはブロック１４とブロック１４の間の目地６８に出来、１個のブロック１４にだけ足圧が集中して作用することは稀であり（図３参照）、表面１１での足圧による凹みを防ぐために表面１１と底面１２の間にスペーサーを介在させる必要がなく、ブロック１４が比較的小型になることからしても、小型のプラスチック成形機によって成形することが出来、サイズが小さく軽量なことから持ち運び易く屋上に施工し易くなる。
【００１８】
その点では、床面や路面に敷設されるサイズが１５ｃｍ以下のレンガやタイルのように、ブロック１４の表面１１の周縁１５に接する表面外接円１６と底面１２の周縁に接する底面外接円の各直径（Ｄo ) を共に２３０ｍｍ以下にすることが好ましい。
【００１９】
そして、ブロック１４は、床面や路面に敷設されるレンガやタイルのように、表面１１の形状を敷き詰め可能な正三角形や対内角の和が１８０°の四辺形（矩形、菱形）、或いは、正六角形にするとよく、そうすることによって、レンガやタイルを敷設する感覚をもってブロック１４を敷き込み施工することが出来る。
【００２０】
本発明の第２の特徴は、上記第１の特徴に加えて、ブロック１４が填料を装填し得る容器式ブロックであり、周側面１３に囲まれるブロック１４の内部の空隙１８が填料を装填し得る空洞１９になっており、周側面１３が空洞１９を囲む厚み（Ｓ）が１〜５ｍｍの周壁２０を構成している点にある。
【００２１】
本発明の第３の特徴は、上記第２の特徴に加えて、周側面１３に囲まれる容器式ブロック１４の内部の空洞１９に多孔質填料２１が挿填されている点にある。
【００２２】
その空洞１９に挿填する多孔質填料２１は、（１）  繊維破片５７の堆積物、（２）
多数の繊維糸条を締束して成り、その繊維糸条の長さ方向をブロック１４の厚み（Ｔ）方向に向けて装填し得る糸束２２、或いは、（３）  平板素材２５の厚み（ｔ）方向をブロック１４の厚み（Ｔ）方向に直交する方向に向けて装填し得、多数の平板素材間２５・２５にブロックの表面１１から底面１２に続く隙間２６が介在する多数の平板素材２５の集積体６５であってもよい。これらの多孔質填料２１は、定形性を欠くが、空洞１９に挿填することによってブロック化されて取り扱い易くなる。
【００２３】
その糸束２２は、扁平断面形状の多数の繊維糸条を締束して成り、容器式ブロック１４の底面側において多数の繊維糸条の端末２４が互いに溶着して一体化されており、容器式ブロック１４の表面側において多数の繊維糸条の端末２３が互いに分離しているものであればよい（図７参照）。そのように表面側において繊維糸条の端末２３が分離しているので、嵩比重が０．０２〜０．０６になる程度に糸束２２をほかの多孔質填料２１に比して嵩高にすることが出来る。
その場合、繊維糸条には断面の扁平率が１０以上、好ましくは扁平率が１００以上、更に好ましくは扁平率が１０００以上のポリプロピレンテープヤーン、即ち、厚みが１００μｍ以下であり、長さ方向に延伸されていて縦割れし易いポリプロピレンテープヤーンを使用するとよい。
複数本の糸束２２を空洞１９に挿填する場合には、セパレーター６７によって空洞内１９を仕切り、その装填する糸束２２が空洞内１９で偏らないようにする。セパレーター６７は、空洞内１９に嵌め込む横型のものであってもよいし、縦型のものであってもよい。横型セパレーター６７では、図７に示すように、糸束２２を嵌め込む嵌込孔を設ける。縦型セパレーター６７では、複数枚の仕切板によって構成し、その仕切板によって糸束２２と糸束２２が仕切られるように、例えば図１１に示すように、２枚の仕切板をブロックの空洞１９の矩形断面の頂点を結ぶ対角線上に配置すると、容器式ブロック１４が２枚の仕切板に補強されて安定した構造となる。図１１に示す仕切板の容器式ブロックの空洞１９の矩形断面の２つの対角線の交点に位置する中心部分には、その２枚の仕切板が互いに嵌合する嵌合溝が付けられている。そのように、空洞内１９を２枚の仕切板でたすき掛けに仕切ると、容器式ブロック１４の構造が安定して押し潰され難くなる。
【００２４】
平板素材２５の集積体６５は、布帛の破断片になるものであってもよい。その布帛は、嵩高で微細な内部空隙が多く、踏まれても容易には押し倒されない強い圧縮弾性回復力を有する基布からパイルが突き出たウイルトンカーペット、基布からパイルが突き出たタフテッドカーペット、繊維が絡みあったフェルトカーペット等のカーペットが好適に使用される。それらのカーペットは、その製造過程で裁断屑として生じる長さが数十ｍにも及ぶ長い帯状の耳端であってもよいし、合成樹脂組成物に成る１ｍｍ以上の厚みの裏打層を有するタイルカーペットの裁断屑であってもよい。
【００２５】
平板素材２５に成る多孔質填料２１では、カーペットその他の布帛は、幅がブロック１４の内接円１７の直径（Ｄi ) 未満となる３０ｃｍ以下、好ましくは１５ｃｍ以下であり、長さがブロック１４の厚み（Ｔ）に等しくなる１５ｃｍ以下、好ましくは３〜１０ｃｍ、更に好ましくは４〜７ｃｍの帯状裁断片として多数用意して束ね（図８と図９参照）、ブロック１４の底面側において融着して一体的に、或いは、結束部材２７によって結束して一体的に構成する。
【００２６】
多孔質填料２１に使用する繊維破片５７の堆積物は、繊維が不織布状に絡みあって布団綿のように嵩高に脹らんだものであってもよく、接着剤や接着性繊維によって不織布状に絡みあった繊維と繊維の間が接合された所謂硬綿或いは樹脂綿と称されるものであってもよい。多孔質填料２１は、顆粒５６の堆積物として構成することも出来る。
多孔質填料２１に使用する顆粒５６は、プラスチック製品や陶磁器類の粉砕物のようにプラスチックや鉱物質のものでもよく、その粒径は概して１〜１０ｍｍにする。
しかし、鉱物質のものであっても水中にあって植栽に不都合な黴菌の発生し易い土砂やヘドロなどの微粉末を含むものは、多孔質にはならず多孔質填料２１としては使用されない。
尚、多孔質填料２１では、水槽内の水５８の蒸発と共に、水中の不純物や腐敗成分が、多孔質填料２１を介して水面に移行し、更に、多孔質填料２１を伝って植栽槽３９へと移行する所謂マイグレーション現象によって水中から除去され、而も、植物の根が水を吸い上げ、その植物の根による消費量に伴って新鮮な水が供給されるので、水腐れや根腐れが起きることは絶対にない。この点では、繊維糸条が容器式ブロック１４の厚み（Ｔ）方向に連続しているカーペット等の布帛の破断片の平板素材集積体、特に多数の繊維糸条を締束して成る糸束２２を多孔質填料２１に用いると有効である。
【００２７】
本発明の第４の特徴は、上記第２と第３の何れかの特徴に加えて、周側面１３に囲まれる容器式ブロック１４の内部の空洞１９の表面側１１において向き合う周縁１５と周縁１５の間に桿材２８が架け渡されており、その桿材２８によって容器式ブロックの表面１１が仕切られており、その仕切る桿材２８が複数の網目隙間２９から成る網目構造を構成している点にある（図５と図８参照）。
【００２８】
本発明の第５の特徴は、上記第２と第３の何れかの特徴に加えて、周側面１３に囲まれる容器式ブロック１４の内部の空洞１９の底面側１２において向き合う周縁（１５）と周縁（１５）の間に桿材２８が架け渡されており、その桿材２８によってブロックの底面１２が仕切られており、その仕切る桿材２８が複数の網目隙間２９から成る網目構造を構成している点にある（図６参照）。
【００２９】
本発明の第６の特徴は、上記第２と第３の何れかの特徴に加えて、周側面１３に囲まれる容器式ブロック１４の内部の空洞１９が底面側１２において塞がれており、容器式ブロック１４が一次水槽３０を構成している点にある（図７参照）。容器式ブロック１４の内部空洞１９の底面側１２を塞いで一次水槽３０とする場合には、その空洞１９を囲む周側面１３の底面１２から表面１１に到る間に溢水口３１を設け、一次水槽３０の水面（水位）４８が容器式ブロック１４の表面１１に達しないようにする（図７参照）。
【００３０】
天然芝生植栽ブロック１４は、平板素材２５を集積し、平板素材２５の厚み（ｔ）方向をブロック１４の厚み（Ｔ）方向に直交する方向に向け、ブロック１４の表面１１と底面１２を平板素材２５の断面３２によって構成し、ブロック１４の正面３３と背面３４をそれぞれ平板素材２５の平板面３５によって構成し、ブロック１４の左右側面３６を平板素材２５の側縁３７によって構成し、平板素材相互間２５・２５の隙間２６がブロック１４の表面１１から底面１２へと続く空隙１８を構成した平板素材製ブロックとすることが出来る。即ち、平板素材２５に成る多孔質填料２１は、それだけで天然芝生植栽ブロック１４として使用することも出来る。その場合、前記の平板素材２５に成る多孔質填料２１の如く、平板素材２５をカーペットその他の布帛の帯状裁断片として多数用意して束ね、平板素材製ブロック１４の底面側において融着して一体的に、或いは、結束部材２７によって結束して一体的にブロック１４を構成するとよい。
【００３１】
平板素材製ブロック１４や平板素材に成る多孔質填料２１の底面側１２において、その構成する平板素材２５と平板素材２５の間を融着して一体化するためには、多数の平板素材２５を積み重ねて集積体６５とし、刃先が高速移動する切れ味の悪いベルトカッターやサークルカッターを当てて切創裁断する。平板素材２５として適用されるカーペットその他の布帛類の多くは、ナイロン、ポリエステル、ポリオレフィン等の熱可塑性高分子物質によって構成されており、ベルトカッターやサークルカッターの切れ味が悪ければ、その切創裁断過程で発生する摩擦熱によって裁断口において平板素材相互間が極めて強固に融着する（図９参照）。
平板素材２５として木綿繊維や麻繊維、羊毛繊維、紙パルプ等の非熱可塑性高分子物質に成るものを適用する場合には、熱可塑性高分子物質に成る布帛類をフィルムと入り混ぜた集積体とし、切れ味の悪いベルトカッターやサークルカッターを当てて切創裁断する。そうすると、非熱可塑性高分子物質に成る平板素材の切り口が毛羽立ち、それに熱可塑性高分子物質に成る平板素材の熱溶融物が融着し、非熱可塑性高分子物質の毛羽と熱可塑性高分子物質の熱溶融物が絡まり合った強固な皮膜が裁断口に出来、それらの平板素材が一体化した平板素材製ブロック１４や多孔質填料２１が出来る。
【００３２】
しかし、平板素材製ブロック１４や平板素材に成る多孔質填料２１の表面側１１には、平板素材相互間を強固に融着させず、裁断口に植物が根を降ろすに必要な空隙１８が出来るようにする。そのためには、切れ味のよいベルトカッターやサークルカッターを使用するか、又は、切れ味の悪いカッターを使用するとしても刃先が移動速度を遅くして高い摩擦熱が発生しないようにする。
従って、平板素材の集積体６５を連続して切創裁断する場合には、切れ味のよいベルトカッターやサークルカッターと切れ味の悪いベルトカッターやサークルカッターとを交互に使用するか、又は、高速回転するベルトカッターやサークルカッターと低速回転するベルトカッターやサークルカッターとを交互に使用する。
切れ味の悪いベルトカッターやサークルカッターとしては、鋼材の裁断に使用されるグラインダー等の刃先が砥粒に成るカッターや、刃先のないベルトカッターやサークルカッター（金属板）を使用し、鋸刃を使用する場合は、刃先を逆向きにして使用する。
【００３３】
平板素材の集積体６５の内部の隙間２６（空隙１８）の空隙率が８０％以上になり、その集積体６５の嵩比重が０．３０以下になると、それを切創裁断して出来るブロック１４の裁断口には、平板素材の熱溶融物による厚みが一定の皮膜は出来難くなり、平板素材の熱溶融物が途切れ途切れに裁断口に融着し、裁断口に平板素材間の隙間２６や空隙１８が現われ、表面側１１と底面側１２とに区別せずに使用し得る平板素材製ブロック１４や多孔質填料２１が得られる。平板素材の集積体６５は、電熱ヒーターを用いたヒートカッターによって裁断することも出来、嵩比重が０．１以下の集積体６５では、裁断口に空隙１８を残した状態で裁断することも出来る。
このことは、繊維糸条によって多孔質填料２１をつくる場合も同様である。
紐状に加撚することの出来る小幅の平板素材や薄手の平板素材は、繊維糸条として使用することが出来、それによって糸束２２をつくることも出来る。
【００３４】
摩擦熱に平板素材相互間２５・２５を融着する場合、平板素材製ブロック１４や多孔質填料２１をつくるために平板素材の集積体６５を結束するための結束部材２７（図９参照）は、必ずしも必要とされない。その場合には、平板素材２５の表面に直角に向けて例えば非鋭利なエンドミリや非鋭利なドリル等の硬質軸桿７０を回転しつつ集積体６５に押し込み、そのとき発生する摩擦熱によって集積体６５に貫通孔７１を開けると同時に平板素材の熱溶融物によって平板素材相互間２５・２５を融着させる（図１２参照）。貫通孔７１は、硬質軸桿７０によるほかヒール付き加熱桿を集積体６５に押し込んで開けることも出来る。そのように貫通孔７１の開けられた平板素材製ブロック１４は、その貫通孔７１に連結桿７２を通し、ブロック間１４・１４を数珠繋ぎにし、そのまま緑化パネル５１として使用することも出来、屋上緑化とは別に、それ自体を吸音材や遮音材、断熱材や保温材、クッション材その他の内装材として使用することも出来る（図１２参照）。
【００３５】
断面において表面１１と底面１２が平行に向かい合っており、その表面１１から底面１２へと続く正面と背面と左右側面との周囲４面を構成する周側面１３が筒形形状を成す立体構造のブロック１４の表面１１の上には、天然芝生３８の植栽層３９が積層される。
市販の天然芝生の根６０や茎６１には土砂が付着しており、その土砂が植栽層３９を形成している。ブロック１４の表面１１の上に市販の天然芝生を載せる場合には、その根６０や茎６１に付着している土砂を取り除くとよく、そうすることによって軽量に屋上緑化をすることが出来る。
そのように、根６０や茎６１から土砂を取り除いても、天然芝生は自然にブロック１４や多孔質填料２１の空隙１８に根を降ろして生育する。
とは言え、水槽に装填した多孔質填料２１の上に積層された土砂には、その多孔質填料２１の表面（１１）が多孔質填料内の水面（４８）から離れていても、多孔質填料内から立ち上る水分を捉えて湿潤状態になる水分捕捉機能と捕捉した水分を根６０に供給する給水媒体機能が認められ、このことは多孔質填料を糸束２２とし、その上端（２３）（図７参照）に積層された鹿沼土や赤玉土等の吸湿性と保水性に富む多孔質土砂では恰も結露しているかのように顕著に認められる。
従って、ブロック内部１４からの水分の蒸発を防ぐと共に、植栽層３９を加湿状態に維持し、天然芝生を土壌菌の介在するアルカリ雰囲気下におくためには、根６０や茎６１に付着している土砂を高圧水流によって完全に洗い落すことなく、根や茎に土砂が僅かながらも付着して残る程度に、市販の天然芝生から土砂を叩き落すことが推奨される。その土砂が根や茎に付着して残る程度は、その付着して残っている土砂を洗い落して厚さが５ｍｍ前後の積層とし得る程度であればよく、その残って付着している土砂が多孔質填料内の水分を捕捉して根６０に供給する給水媒体機能を発揮することになる。
【００３６】
本発明の天然芝生植栽ブロックの第７の特徴は、（１）  断面において表面１１と底面１２が平行に向かい合っており、その表面１１から底面１２へと続く正面と背面と左右側面との周囲４面を構成する周側面１３が筒形形状を成し、（２)   周側面１３に囲まれるブロック１４の内部に表面１１から底面１２へと続く空隙１８を有し、（３)   表面１１の周縁１５に接する表面外接円１６と底面１２の周縁に接する底面外接円の各直径（Ｄo ) が共に４２０ｍｍ以下であり、（４)   表面１１の周縁１５に接する表面内接円１７と底面１２の周縁に接する底面内接円の各直径（Ｄi ) が共に５０ｍｍ以上であり、（５)   表面１１から底面１２に至るブロックの厚み（Ｔ) が、２０ｍｍ以上であり、且つ、表面内接円１７と底面内接円の各直径（Ｄi ) 以下である第１ブロックと第２ブロックとの２つのブロック１４・１４から成り、（６)   第１ブロックが容器式ブロック１４Ａであり、第２ブロックが容器式または平板素材製ブロック１４Ｂであり、（７)   容器式第１ブロック１４Ａが第２ブロック１４Ｂに外嵌し、第２ブロック１４Ｂが容器式第１ブロック１４Ａの空洞１９Ａに挿抜自在に内嵌している点にある。
【００３７】
容器式第１ブロック１４Ａの表面側１１において向き合う周縁１５と周縁１５の間には桿材２８を架け渡し、その桿材２８によって容器式第１ブロック１４Ａの表面１１を仕切り、その仕切る桿材２８によって容器式第１ブロック１４Ａの表面側１１を複数の網目隙間２９から成る網目構造にすることが出来る。
容器式第２ブロック１４Ｂの底面側１２において向き合う周縁（１５）と周縁（１５）の間にも桿材２８を架け渡たし、その桿材２８によって容器式第２ブロック１４Ｂの底面１２を仕切り、その仕切る桿材２８によって、容器式第２ブロック１４Ｂの底面側１２を複数の網目隙間２９から成る網目構造にすることも出来る。
それとは異なり、容器式第２ブロック１４Ｂの底面側１２を塞ぎ、容器式第２ブロック１４Ｂを一次水槽３０とすることも出来る。
【００３８】
容器式第２ブロック１４Ｂの空洞１９Ｂには、（１）  繊維破片５７の堆積物、（２）  長さ方向を容器式第２ブロック１４Ｂの厚み（Ｔ）方向に向けられた多数の繊維糸条を締束して成る糸束２２、（３）  長さ方向を容器式第２ブロック１４Ｂの厚み（Ｔ）方向に向けられた多数の繊維糸条の一端２３が互いに溶着して一体化されており、それら多数の繊維糸条の他端２４が互いに分離している糸束２２、（４）  多数の平板素材２５を集積して成り、その平板素材２５の厚み（ｔ）方向が容器式第２ブロック１４Ｂの厚み（Ｔ）方向に直交する方向に向けられており、多数の平板素材間２５・２５に隙間２６が介在している平板素材集積体、（５）  多数の布帛の破断片（２５）を集積して成り、その布帛の破断片（２５）の厚み（ｔ）方向が容器式第２ブロック１４Ｂの厚み（Ｔ）方向に直交する方向に向けられており、多数の布帛の破断片間（２５・２５）に隙間２６が介在している布帛破断片集積体、（６）  多数のカーペットの破断片（２５）を集積して成り、そのカーペットの破断片（２５）の厚み（ｔ）方向が容器式第２ブロック１４Ｂの厚み（Ｔ）方向に直交する方向に向けられており、多数のカーペットの破断片間（２５・２５）に隙間２６が介在しているカーペット破断片集積体、（７）  多数の平板素材２５を集積して結束して成り、その平板素材２５の厚み（ｔ）方向が容器式第２ブロック１４Ｂの厚み（Ｔ）方向に直交する方向に向けられており、多数の平板素材間２５・２５に隙間２６が介在している平板素材集積体、（８）  顆粒５６、の何れかの多孔質填料２１が挿填される。
【００３９】
容器式第２ブロック１４Ｂの空洞１９Ｂに装填される多孔質填料２１は、嵩比重が０．１０以下で概して０．０２〜０．０６となる嵩高なものであってもよく、そのように嵩高なものであっても容器式第１ブロック１４Ａと容器式第２ブロック１４Ｂに包まれているので、足圧を受けて押し潰されることはない。
特に、平板素材の集積体に成る多孔質填料２１では、それが裁断口において平板素材の熱溶融物が途切れ途切れに融着しており、表面側１１と底面側１２とに区別せずに使用し得る嵩比重が０．０２〜０．３０の多孔質填料２１であっても、植物が根を降ろし易い大きな空隙１８や隙間２６が内部に出来るので、天然芝生が生育し易くなる。
【００４０】
本発明の第８の特徴は、平板な防水材４０の周縁４１を立ち上げ、その立ち上げた防水材４０の周縁４１によって止水壁４３を構成した水槽４２と、水槽４２の中に縦横に配置されて交叉する複数条の仕切材４４Ａ・４４Ｂによって構成されて水槽４２の中を縦横に仕切る格子枠４５とから成り、水槽４２の中を縦横に仕切る格子枠４５の仕切材４４が水槽４２の向かい合う止水壁４３から止水壁４３まで連続しており、その縦横に配置されて交叉する仕切材４４Ａ・４４Ｂに囲まれる多数の凹部６９が格子枠内４５に構成されており、その凹部６９が直径７０〜４２０ｍｍの外接円（Ｄo ) に外接し且つ直径５０ｍｍ以上の内接円（Ｄi ) に内接する大きさである緑化パネル５１にある。上記第１、第２、第３、第４、第５、第６、第７の特徴を有するブロック１４は、格子枠内４５の仕切材４４Ａ・４４Ｂに囲まれる凹部６９に嵌め込んで水槽内４２に敷き詰められる。
容器式ブロック１４では、その内部空洞１９に、（１）  繊維破片５７の堆積物、（２）  多数の繊維糸条を締束して成る糸束２２、（３）  多数の平板素材２５を集積して成り、その平板素材２５の厚み（ｔ）方向が水槽４２の深さ方向に直交する方向に向けられており、多数の平板素材間２５・２５に隙間２６が介在している平板素材集積体６５、（４）  布団綿状の繊維集合体、（５）  顆粒５６、の何れかの多孔質填料２１を挿填することが出来る。
又、格子枠内４５の仕切材４４Ａ・４４Ｂに囲まれる凹部６９には、ブロック１４に代えて、（１）  繊維破片５７の堆積物、（２）  多数の繊維糸条を締束して成る糸束２２、（３）  多数の平板素材２５を集積して成り、その平板素材２５の厚み（ｔ）方向が水槽４２の深さ方向に直交する方向に向けられており、多数の平板素材間２５・２５に隙間２６が介在している平板素材集積体６５、（４）  布団綿状の繊維集合体、（５）  顆粒５６、の何れかの多孔質填料２１を挿填することも出来る。
【００４１】
本発明の屋上緑化工法によると、天然芝生３８は、ブロック１４や多孔質填料２１が凹部６９に装填された緑化パネル５１の上に敷設される。
凹部６９に多孔質填料２１、平板素材製ブロック１４、多孔質填料２１の装填された容器式ブロック１４を装填する場合には、それらの平板素材２５や多孔質填料２１が水槽４２への土砂の流入を防ぐ砂防材にもなり、又、成長した天然芝生３８ではその茎６１の絡み合った植栽層自体３９が砂防材にもなるので、砂防シート６３は、必ずしも必要とされない。
しかし、砂防シート６３を使用すると、天然芝生の上を踏み歩く足跡から水槽４２に作用する体重、即ち、足圧が水槽に敷き詰められた多数のブロック１４や水槽に配置された多数の仕切材４４に分散され、一部のブロック１４や仕切材４４に足圧が集中せず、ブロック１４や仕切材４４が破損し難くなる。従って、平板素材製ブロック１４や多孔質填料２１を使用する場合でも、足圧分散緩衝材として、砂防シート６３を使用することが推奨される。
その足圧分散緩衝材としての砂防シート６３には、ブロック１４の縦横の寸法（ｍ，ｎ）や仕切材４４の配置間隔（ｐ，ｑ）よりも細かい１０〜５０ｍｍで概して２０ｍｍ前後となる間隔をもって太さが１〜７ｍｍの線状部材を配置したネットやメッシュ材を使用するとよい。
タフテッドパイル布帛の基布には、タフティング時にパイル糸の差し込まれた差込跡としての貫通孔があり、その貫通孔を通して天然芝生３８が根６０を降ろすので、タフテッドパイル布帛も砂防シート６３として使用することが出来る。
【００４２】
ブロック１４は、断面において表面１１と底面１２が平行に向かい合い、その表面１１から底面１２へと続く正面と背面と左右側面との周囲４面を構成する周側面１３が筒形形状を成している。このため、水槽４２の中に敷き詰められて隣り合うブロック間１４・１４は、仕切材４４Ａ・４４Ｂによって仕切られる。
そのためには、縦横の仕切材４４Ａと仕切材４４Ｂに囲まれる格子枠４５の凹部６９の縦横の寸法（ｐ，ｑ）をブロック１４の縦横の寸法（ｍ，ｎ）と同じにし、その凹部６９にブロック１４を嵌め込む。従って、ブロック１４が直径７０〜２３０ｍｍの外接円（Ｄo ) に外接し且つ直径５０ｍｍ以上の内接円（Ｄi ) に内接する大きさであれば、凹部６９も直径７０〜２３０ｍｍの外接円（Ｄo ) に外接し且つ直径５０ｍｍ以上の内接円（Ｄi ) に内接する大きさにする。
凹部６９の縦横の寸法（ｐ，ｑ）がブロック１４の縦横の寸法（ｍ，ｎ）よりも大きい場合には、凹部内６９をブロック１４の縦横の寸法（ｍ，ｎ）に合わせて仕切材によって細かく仕切る。そのブロック１４が、容器式ブロックであり、その底面側１２において塞がれて一次水槽３０を構成している場合は、緑化パネル５１の水槽４２は、その容器式ブロックの一次水槽３０に対する二次水槽を構成することになる。
【００４３】
容器式第１ブロック１４Ａと容器式第２ブロック１４Ｂに成るブロック１４では、容器式第２ブロック１４Ｂに外嵌する容器式第１ブロック１４Ａの周壁２０Ａの内側の高さａが、容器式第２ブロック１４Ｂの周壁２０Ｂの外側の高さｂよりも長い場合（ａ＞ｂ）には、容器式第１ブロック１４Ａの尖った底面１４Ａに足圧が集中して水槽４２が裂け易くなる。従って、容器式第１ブロック１４Ａの周壁２０Ａの内側の高さａは、容器式第２ブロック１４Ｂの周壁２０Ｂの外側の高さｂよりも短くし（ａ＜ｂ）、足圧が容器式第２ブロック１４Ｂの底面１４Ｂの全面に分散するようにする。
又、水槽４２への足圧を緩和するためには、容器式第２ブロック１４Ｂに装填する多孔質填料２１の高さｃを容器式第２ブロック１４Ｂの周壁２０Ｂの内側の高さｂ’よりも長くし（ｂ’＜ｃ）、その差ｄ（＝ｃ−ｂ’）に相応する分だけ、多孔質填料２１の先端が容器式第２ブロック１４Ｂの表面１１Ｂから突き出て容器式第１ブロック１４Ａを押し上げるようにする（図６参照）。
【００４４】
二次水槽４２の中を縦横に仕切る格子枠４５を構成している仕切材４４Ａと仕切材４４Ｂの交叉箇所には、その交叉する少なくとも何れか一方の仕切材４４Ａに他方の仕切材４４Ｂが嵌合する嵌合溝４６を設けるとよい。その防水材４０の周縁４１を立ち上げて構成される二次水槽４２の止水壁４３の槽底４７からの高さ（ｈ）は、二次水槽４２に敷き詰めたブロック１４の表面１１に到る槽底４７からの高さ（Ｈ＝Ｔ）よりも低くし（Ｈ≧ｈ）、ブロックの表面１１が二次水槽４２の水面４８よりも高く突き出す。ブロックの表面１１から水面４８までの距離は５ｍｍ以上であれば充分である。二次水槽４２の水位ｇは１ｃｍ以上に保たれるようにする。
【００４５】
防水材４０には、カーボンブラックを練り込んだ厚みが０．３ｍｍ以上、好ましくは厚みが０．５ｍｍ以上の比較的厚手のプラスチックフィルムを使用し得るが、好ましくはカーボンブラックを練り込んだ厚みが０．３ｍｍ以上で可塑剤の含有量が少ない一辺の長さが８０〜３５０ｃｍの矩形形状の比較的硬質のプラスチック板、又は、カーボンブラックを練り込んだ厚みが０．３ｍｍ以上のゴムシートを使用する。
【００４６】
本発明の第９の特徴は、上記１〜７の何れかの特徴を有する２種類以上の仕様の異なる数種類のブロック１４が入り混じって二次水槽４２の中に敷き詰められている点にある。
【００４７】
本発明の第１０の特徴は、地上に固定された基盤４９の表面に仕切材５０によって縦横に仕切られて緑化パネル５１を嵌め込む凹部５２が形成されており、上記第８と第９の何れかの特徴を有する緑化パネル５１がその凹部５２に嵌め込まれて、基盤４９の上に敷き詰められている緑化装置にある。
【００４８】
仕切材５０に仕切られて緑化パネル５１の敷き詰められる基盤４９の表面には防水処理を施し、その基盤４９の周囲を堰５４で囲み、基盤４９の表面に三次水槽５３を形成するとよい。
【００４９】
基盤４９の表面に構成される三次水槽５３の堰５４の高さ（Ｘ）は、ブロック１４の表面１１の高さ（Ｈ）よりも低くする。そのようにすると、三次水槽５３が満杯になっても、その水面（水位）４８はブロック１４の表面１１に達することがなく、天然芝生の植栽層３９が冠水するようなことはなくなる。
又、基盤４９の表面に構成される三次水槽５３の堰５４の高さ（Ｘ）は、緑化パネル５１の止水壁４３の高さ（ｈ）よりも高くするとよい（Ｘ≧ｈ）。そのようにすると、三次水槽５３が満杯になるときは、三次水槽５３の水が緑化パネル５１の止水壁４３を越えて二次水槽４２に流れ込む。そうして、溢水口３１のある容器式ブロック１４では、二次水槽４２が満杯になると、その二次水槽４２の水が容器式ブロック１４の溢水口３１から流れ込んで一次水槽３０も満杯になる。こうして、三次水槽５３が満杯になるまで散水するときは、二次水槽４２も一次水槽３０も満杯状態になる。
従って、三次水槽５３を設ける場合は、基盤４９の表面に配置された個々の緑化パネル５１に個別に給水する手間が省け、又、緑化パネル５１に配置された個々の容器式ブロック１４に個別に給水する手間が省け、緑化装置の給水管理が楽になる。
容器式ブロック１４の溢水口３１から槽底４７までの深さｅは２ｃｍ前後であればよく、緑化パネル５１の止水壁４３から容器式ブロック１４の溢水口３１までの水面４８の落差ｆは１ｃｍ前後であればよい。
【００５０】
基盤４９の表面の防水処理は、基盤４９の表面に防水シート５５を敷き込んで施すことが出来る。その基盤４９の表面に敷き込んだ防水シート５５の周縁が立ち上げて三次水槽５３の堰５４としてもよい。そのように、三次水槽５３は、防水シート５５を敷き込んだ簡易式水槽であっても、その中に敷き詰められる二次水槽４２に対する三次水槽であり、又、二次水槽４２それ自体も、その中に敷き詰められる一次水槽３０に対する三次水槽にもなるので、その構成する防水シート５５にピンホールが発生しても問題は生じない。
【発明の効果】
【００５１】
履物のサイズが概して３０ｃｍ前後であることからして、サイズが８ｃｍ、１０ｃｍ、１５ｃｍ、２０ｃｍ、３０ｃｍ等の３０ｃｍ以下のタイル敷き床面や路面では、足跡６６の多くはタイル間の目地（継ぎ目）に出来、サイズが履物のサイズと同じ３０ｃｍ前後のタイルにおいても１個のタイルにだけ足跡６６が纏まって出来ることは稀である（図３参照）。
【００５２】
本発明第１の特徴においては、この点に関し、表面１１の周縁１５に接する表面外接円１６と底面１２の周縁に接する底面外接円の各直径（Ｄo ) が共に４２０ｍｍ以下になるようにブロック１４を構成しており、表面と底面の間にブロック１４を補強するためのスペーサーを配置する必要はなくなる。そして、本発明では、表面１１の周縁１５に接する表面内接円１７と底面１２の周縁に接する底面内接円の各直径（Ｄi ) が共に５０ｍｍ以上のサイズ（ｍ，ｎ）に容器式ブロック１４を構成し、その表面１１から底面１２に至る容器式ブロック１４の厚み（Ｔ) を２０ｍｍ以上であって表面内接円１７と底面内接円の各直径（Ｄi ) 以下にしている。
【００５３】
このため、容器式ブロック１４をプラスチック成形するとしても大型のプラスチック成形機を必要とせず、種々のプラスチック容器に汎用される小型のプラスチック成形機によって緑化パネルを成形することが出来、在来のコンクリートブロックやレンガに比して遥かに軽く持ち運び易いことから、屋上に施工し易く、それによる屋上緑化が現実的に実施可能となる。
【００５４】
本発明第２の特徴においては、容器式ブロック１４の内部空隙１８を、厚み（Ｓ）が５ｍｍ以下の周壁２０に囲まれる大きな内部空洞１９としており、その内部空洞１９には多孔質填料２１を挿填することが出来る。その内部空洞１９に装填する多孔質填料２１を仕切る縦型セパレーター６７を嵌め込む場合には、その縦型セパレーター６７によって補強されるので、周壁２０の厚み（Ｓ）は１ｍｍ以下で０．５ｍｍ前後にすることが出来る。
【００５５】
本発明第３の特徴においては、その内部空洞１９に多孔質填料２１の挿填された容器式ブロック１４を二次水槽４２に配置して緑化パネル５１を形成しており、太陽光の赤外線や熱線などの電磁波は、その多孔質填料２１に遮られて二次水槽４２には達し難い。
従って、本発明第３の特徴によると、二次水槽４２の太陽光による劣化・変質・脆化が回避され、二次水槽４２の耐候性が高まる。特に、ウイルトンカーペット、タフテッドカーペット、フェルトカーペット、タイルカーペット等の多数の平板素材２５を集積して結束した多孔質填料２１を、それらの平板素材２５の厚み（ｔ）方向を容器式ブロック１４の厚み（Ｔ）方向に直交する方向に向けて内部空洞１９に挿填すると、多孔質填料２１は、容器式ブロック１４の周壁２０に補強されて押し潰され難く、足圧から解放されるときは、繊維の有する弾性回復力によって元の高さを回復することになるので、クッション性に富む緑化パネル５１が得られる。
自然に生える植物の根が、土壌によって太陽光から遮られ、乾期には土壌に被覆されて乾かないように保護されているように、本発明において、多孔質填料２１は、太陽光を遮る遮光材として、又、根６０を乾かないように被覆保護する防乾材として機能する。
【００５６】
そして、平板素材２５には、繊維業界から排出されるウイルトンカーペット、タフテッドカーペット、フェルトカーペット、タイルカーペット等その他の布帛の耳端等が使用されるので、本発明は、産業廃棄物の再利用にも有効である。特に、平板素材による嵩比重が０．３０以下の集積体６５を切創裁断し、その切創裁断時に生じる熱溶融物によって平板素材相互間を融着した多孔質填料２１では、泥土の入り込む空隙１８が多いので、屋上緑化に使用後の多孔質填料２１を泥土で処理し、泥土と平板素材とが渾然一体になった固形燃料とすることが出来る。
そのような固形燃料は、その燃焼時に可燃物である平板素材が溶融しても、不燃物である泥土が多孔質填料２１としての形状を維持するので、練炭や豆炭のように燃やし易く、その燃焼熱による燃焼窯の損傷は避けられる。
【００５７】
本発明第４の特徴においては、更に、周側面１３に囲まれる容器式ブロック１４の内部の空洞１９の表面側１１において向き合う周縁１５と周縁１５の間に桿材２８が架け渡し、その桿材２８によってブロックの表面１２を仕切って複数の網目隙間２９から成る網目構造にしている。このため、多孔質填料２１として内部空洞１９に装填された全ての平板素材２５に足圧が均等に作用し、一部の平板素材２５にだけ足圧が集中することがなく、従って、一部の平板素材２５だけが押し倒された座屈状態にならず、全ての平板素材２５が直立状態に維持される。平板素材２５の座屈防止のためには、ゴムシート等の弾性体の裁断屑や、タイルカーペット等の厚手の裁断屑、ペットポトル等の硬質プラスチックの裁断屑等を補強材として多孔質填料２１に混用するとよい。
【００５８】
本発明第５の特徴においては、更に、周側面１３に囲まれる容器式ブロック１４の内部の空洞１９の底面側１２において向き合う周縁（１５）と周縁（１５）の間に桿材２８が架け渡し、その桿材２８によって容器式ブロックの底面１２を仕切って複数の網目隙間２９から成る網目構造にしている。このため、繊維破片５７や顆粒５６を多孔質填料２１に使用する場合でも、その内部空洞１９に装填した繊維破片５７や顆粒５６が内部空洞１９の底面１２から散逸することはなく、容器式ブロック１４が取り扱い易くなる。
【００５９】
本発明第６の特徴においては、周側面１３に囲まれる容器式ブロック１４の内部空洞１９を底面側１２において塞いで一次水槽３０としている。このため、二次水槽４２や三次水槽５３に漏水が生じても、その一次水槽３０からの水を得て天然芝生が生育し続け、芝枯れすることはない。従って、容器式ブロック１４を敷き詰めるための二次水槽４２や三次水槽５３は、必ずしも必要せず、二次水槽４２や三次水槽５３を簡略にしても屋上緑化が可能となる。
又、基盤４９が傾斜している屋上や屋根等の斜面に法面に施工された緑化パネル５１や緑化装置５９では、それらの二次水槽４２や三次水槽５３の水は緑化パネル５１や緑化装置５９の傾斜している片側に偏り、天然芝生３８への給水量が不均一になるが、一次水槽付き容器式ブロック１４を使用するときは、その各容器式ブロックの一次水槽内３０の水は偏るとしても、その容器式ブロックが緑化パネル５１や緑化装置５９の全面に均等に分布しているので、緑化パネル５１や緑化装置５９の全体としては水は偏ることはなく、天然芝生全体３８に均等に給水されることになる。
従って、本発明は、斜面に法面の緑化に頗る好都合である。
【００６０】
本発明第７の特徴においては、天然芝生植栽ブロックが、（１）  断面において表面１１と底面１２が平行に向かい合っており、その表面１１から底面１２へと続く正面と背面と左右側面との周囲４面を構成する周側面１３が筒形形状を成し、（２)   周側面１３に囲まれるブロック１４の内部に表面１１から底面１２へと続く空隙１８を有し、（３) 
表面１１の周縁１５に接する表面外接円１６と底面１２の周縁に接する底面外接円の各直径（Ｄo ) が共に４２０ｍｍ以下であり、（４)   表面１１の周縁１５に接する表面内接円１７と底面１２の周縁に接する底面内接円の各直径（Ｄi ) が共に５０ｍｍ以上であり、（５)   表面１１から底面１２に至るブロックの厚み（Ｔ) が、２０ｍｍ以上であり、且つ、表面内接円１７と底面内接円の各直径（Ｄi ) 以下である第１ブロックと第２ブロックとの２つのブロック１４・１４から成り、（６)   第１ブロックが容器式ブロック１４Ａであり、第２ブロックが容器式または平板素材製ブロック１４Ｂであり、（７)   容器式第１ブロック１４Ａが第２ブロック１４Ｂに外嵌し、第２ブロック１４Ｂが容器式第１ブロック１４Ａの空洞１９Ａに挿抜自在に内嵌している。
【００６１】
そのように、表面側１１が桿材２８に仕切られた複数の網目隙間２９から成る網目構造になっている第１ブロック１４Ａの空洞１９Ａに第２ブロック１４Ｂが内嵌してレンガやタイルの恰好になっているので、天然芝生植栽ブロックが取り扱い易く、レンガやタイルを敷き詰めるように天然芝生植栽ブロックを二次水槽４２に敷き詰めて、効率的に屋上緑化することが出来る。
【００６２】
第１ブロック１４Ａと第２ブロック１４Ｂとの２つのブロックによって構成される天然芝生植栽ブロックについて具体的に説明すると、図４〜図８に示すように、ブロック１４には、厚み（Ｓ）が５ｍｍ以下の周壁２０に囲まれた大きな内部空洞１９を有する容器式ブロックと、その大きな内部空洞１９を有しない平板素材製ブロック、即ち、平板素材２５を集積し、平板素材２５の厚み（ｔ）方向をブロック１４の厚み（Ｔ）方向に直交する方向に向け、ブロック１４の表面１１と底面１２を平板素材２５の断面３２によって構成し、ブロック１４の正面３３と背面３４をそれぞれ平板素材２５の平板面３５によって構成し、ブロック１４の左右側面３６を平板素材２５の側縁３７によって構成し、平板素材相互間２５・２５の隙間２６がブロック１４の表面１１から底面１２へと続く空隙１８を構成している平板素材２５に成る平板素材製ブロックとがある。
【００６３】
その平板素材製ブロックを第２ブロック１４Ｂに使用する場合、平板素材製第２ブロック１４Ｂに外嵌する第１ブロック１４Ａは表面側１１Ａと底面側１１Ｂが共に開放された筒体とすることも出来るが（図４参照）、好ましくは、第１ブロック１４Ａを容器式ブロックとし、その容器式第１ブロック１４Ａの表面側１１Ａにおいて向き合う周縁１５と周縁１５の間に桿材２８を架け渡たし、その桿材２８によって容器式第１ブロック１４Ａの表面１１Ａを仕切り、その仕切る桿材２８が複数の網目隙間２９を構成した網目構造にする（図５と図８参照）。
第１ブロック１４Ａと第２ブロック１４Ｂの双方に容器式ブロックを使用する場合、容器式第２ブロック１４Ｂは、（１）  その底面側１２において向き合う周縁（１５）と周縁（１５）の間に桿材２８を架け渡たし、その桿材２８によって底面１２を仕切り、その仕切る桿材２８が複数の網目隙間２９した網目構造にするか（図６参照）、または、（２）  その底面側１２を塞いで一次水槽３０を構成し（図７参照）、（３）  一方、容器式第１ブロック１４Ａは、その表面側１１Ａにおいて向き合う周縁１５と周縁１５の間に桿材２８を架け渡たし、その桿材２８によって表面１１Ａを仕切り、その仕切る桿材２８が複数の網目隙間２９を構成した網目構造にし、（４）  容器式第２ブロック１４Ｂの上に容器式第１ブロック１４Ａを被せる。
【００６４】
図６と図７に示すように、第１ブロック１４Ａと第２ブロック１４Ｂとの嵌合状態においては、空洞１９Ａの表面側１１と底面側１２が、桿材２８（図６参照）や一次水槽３０（図７参照）に塞がれてレンガやタイルの恰好になり、又、第１ブロック１４Ａの空洞１９Ａに内嵌する第２ブロック１４Ｂを平板素材製ブロックに場合も、その第１ブロック１４Ａと第２ブロック１４Ｂとの嵌合状態はレンガやタイルの恰好になる。このように、天然芝生植栽ブロックを第１ブロック１４Ａと第２ブロック１４Ｂとの嵌合構造にすると、レンガやタイルと同様に施工して効率的に屋上緑化することが出来る。
【００６５】
本発明第８の特徴においては、プラスチック成形によらず、平板な防水材４０の周縁４１を立ち上げ、その立ち上げた防水材４０の周縁４１を止水壁４３として二次水槽４２を構成したので、その二次水槽４２にブロック１４を敷き詰めて簡便且つ安価に緑化パネル５１を得ることが出来る。そして、その敷き詰められて隣り合うブロック１４とブロック１４の間には、天然芝生が根を降ろせる細かい隙間が出来、その細かい隙間に降ろした天然芝生の根は、ブロック１４とブロック１４の間に挟まれて乾燥から守られるので、仮に二次水槽４２が一時的に枯渇することがあっても、芝枯れは生じ難く、緑化状態が維持される。
【００６６】
容器式ブロックに装填される繊維破片５７の堆積物、繊維糸条を締束して成る糸束２２、平板素材集積体６５、布団綿状の繊維集合体、顆粒５６等の多孔質填料２１や平板素材製ブロック１４に、ウイルトンカーペット、タフテッドカーペット、フェルトカーペット、タイルカーペット等の裁断屑、プラスチック製品や陶磁器類の粉砕物、ゴムシート等の弾性体の裁断屑、ペットポトル等の硬質プラスチックの裁断屑等の産業廃棄物を再利用しようとするとき、多孔質填料２１や平板素材製ブロック１４の嵩比重を一定に揃えることは難しく、その嵩比重は不可避的に大きくばらつく。
しかし、その嵩比重の異なる多孔質填料２１を装填した容器式ブロックや平板素材製ブロックなど、仕様の異なる数種類のブロック１４を入り混ぜて二次水槽４２の中に敷き詰めるときは、緑化パネル全体５１の嵩比重を略均等に揃えることが出来る。
その場合、緑化パネル内５１において平板素材製ブロックや容器式ブロックの嵩比重が大きくばらついていても、天然芝生の茎が隣り合う複数個のブロックを跨いで伸び、その複数個のそれぞれのブロックに根を降ろすので、天然芝生の生育に不都合は生じない。
従って、本発明第９の特徴においては、仕様の大きく異なる種々の産業廃棄物を再利用することが出来る点で大きなメリットがあり、防水材４０の周縁４１を立ち上げて構成した二次水槽４２の中に、平板素材製ブロックや（図８と図９参照）、内部空洞１９に顆粒５６の堆積物、繊維破片５７の堆積物、繊維糸条の糸束２２、布帛の裁断屑等の多孔質填料２１の装填された容器式ブロック（図４、図５、図６、図７参照）、内部空洞１９に平板素材２５を集積して成る多孔質填料２１の装填された容器式ブロック（図１参照）、内部空洞１９の底面側１２を塞いで一次水槽３０を形成したブロック（図２と図７参照）、第１ブロック１４Ａと第２ブロック１４Ｂとの嵌合ブロック（図２と図４と図５と図６と図７と図８参照）等の仕様の異なる数種類のブロック１４を入り混ぜて敷き詰めるときは、その仕様の相異によって各ブロックから天然芝生への給水量が異なるので、給水量が部分的に異なる地面と同様に極自然な屋上緑化のための植栽環境が整えられる。
【００６７】
本発明第１０の特徴においては、地上に固定された基盤４９の表面を仕切材５０によって縦横に仕切り、緑化パネル５１を嵌め込む凹部５２を形成し、ブロック１４の敷き詰められた緑化パネル５１を凹部５２に嵌め込んで基盤４９の上に敷き詰めることとしており、又、成長した天然芝生３８ではその茎６１の絡み合った植栽層自体３９がブロック間１４・１４や緑化パネル間５１・５１を連結する連結材にもなるので、屋上（基盤４９）に施工する場合でもブロック１４や緑化パネル５１がズレ動くことはなく、屋上が綺麗に緑化される。基盤４９の表面に構成される三次水槽５３の堰５４の高さ（Ｘ）を、ブロック１４の表面１１の高さ（Ｈ）よりも低くし、天然芝生の植栽層３９が冠水することがないようにするとしても、緑化パネル５１の止水壁４３の高さ（ｈ）よりも高くし（Ｘ≧ｈ）、且つ、緑化パネル５１の止水壁４３の高さ（ｈ）をブロック１４の溢水口３１の高さ（ｅ）よりも高くすると（Ｘ＞ｈ＞ｅ）、三次水槽５３が満杯になるときは二次水槽４２も一次水槽３０も満杯状態になる。従って、三次水槽５３の一部分に散水することによって全ての二次水槽４２と全ての一次水槽３０に給水したと同じことになる。
【００６８】
その屋上（基盤４９）において隣り合う緑化パネル５１と緑化パネル５１の間では、レンガ状の小さいブロック１４・１４が隣り合うことになり、その隣り合うブロック１４・１４を取り外すときは、その隣り合う緑化パネル５１・５１の止水壁４３と止水壁４３が隣り合って現われるので、その隣り合う止水壁４３と止水壁４３に貫通孔を開けて給水パイプを通し、その給水パイプの周面に螺子山を刻設したナットを螺着し、自転車のチューブに取り付けられた螺子山付きパイプのナットを締めてホィールに固定するように、そのナットを締めつけて止水壁４３と止水壁４３の間を接続し、隣り合う緑化パネル５１・５１の二次水槽４２・４２を連続させることが出来る。
【００６９】
従って、その一部の二次水槽４２に給水することによって全ての緑化パネルに給水することも可能となり、一部の緑化パネルにホースから放水される水は、全ての緑化パネルの何れかの部分から滲み込むので、ホースから散水する給水管理も容易になる。その隣り合う緑化パネル５１・５１の二次水槽４２・４２を連続させるためには、カーボンブラックを練り込んだ厚みが０．３ｍｍ以上で可塑剤の含有量が少ない一辺の長さが８０〜３５０ｃｍの矩形形状の比較的硬質のプラスチック板かゴムシートを防水材４０に使用すると、隣り合う止水壁４３と止水壁４３に開ける貫通孔の加工精度が高まり、螺着した給水パイプにナットが締めつけ易くなり、その締めつけ箇所が安定する。そして、各緑化パネル５１に敷き詰められるブロック１４は、その表面１１の周縁１５に接する表面外接円１６と底面１２の周縁に接する底面外接円の各直径（Ｄo ) が共に４２０ｍｍ以下であってレンガやタイルの形状を成しているので、それが損傷しても取り替え易く、植栽する天然芝生の維持管理が容易になる。
【００７０】
ブロック１４を二次水槽４２に敷き詰めた緑化パネル５１や、緑化パネル５１を三次水槽５３に敷き詰めた緑化装置５９は、仕切材４４・５０に補強されているので移動することが出来る。従って、敷き詰めて天然芝生３８の植栽されている緑化パネルや緑化装置は、需要に応じて個々の緑化パネル５１や緑化装置５９に分離し、種々のイベント会場やレストラン、ビャガーデン等、所要の場所へと運び出し、畳みを敷き詰めるように敷き詰めて使用することも可能となる。そのような場合には、多孔質填料２１として、嵩比重が０．０２〜０．０６で嵩高く、又、移動に際して水切れがよく、軽い糸束２２を使用することが推奨される。
イベント会場やレストラン、ビヤガーデン等、不特定多数の来客のある場所では、砂防シート６３としてタフテッドパイル布帛を使用することが推奨される。それは、タフテッドパイル布帛は、タフテッドカーペットの資材であり、ヒール等の先の尖った履物でも突き刺さり難くためである。
【発明を実施するための最良の形態】
【００７１】
緑化パネル５１は、屋上に限らず、ベランダや階下の地面にも施工することが出来る。しかし、屋上では、地面に生える雑草の種が飛来し難い。従って、緑化パネル５１は、階上、特に２階建て屋上や３階以上のベランダに施工することが実用的である。
ブロック１４や緑化パネル５１は、屋上やベランダ等の建物に限らず、畑、花壇、歩道、道路、中央分離帯、競技グランド、橋梁等に使用することも出来る。
【００７２】
天然芝生３８は、洋芝よりも寧ろ竹のように茎６１が横に伸びる高麗芝がよい。
ブロック１４や緑化パネル５１は、天然芝生３８に限らず、高麗芝や竹のように茎が横に伸び、茎の節目から根を降ろすドクダミ、苔類等の植栽に適用することが出来る。
苔類を植栽する場合には、砂防シート６３としてタフテッドパイル布帛を使用することが推奨される。それは、苔類が下から湿気が立ち上がる場所でよく繁殖し、タフテッドパイル布帛では、湿気がパイル糸の差し込まれた差込跡としての貫通孔を透過し、基布から直立しているパイルに沿って立ち上がるからである。
苔類ではパイル層が植栽層３９となり、タフテッドパイル布帛の上で繁殖している苔類等は、そのままタフテッドパイル布帛と一緒に移動しても枯れることはなく、タフテッドパイル布帛を植栽層３９とする苔類等植栽マットが出来上がる。
【００７３】
緑化パネル５１は、比較的大型の植物、例えば茄子の植栽に適用することも出来る。
その場合、幹が倒れないように根元に土盛りをし、必要に応じて吊り降ろすように支柱を立てる。例えば、茄子の場合は、土饅頭のように根元に土盛りをすると幹が倒れ難くなる。丈５０〜６０ｃｍに成長した茄子１株当たりの一日の吸水量は総じて２．５リットル前後あり、その根は周囲のブロックへと広がり、その周囲のブロックの空洞へと根を降ろすので、一次水槽付きの容器式ブロックを使用する場合は一次水槽内３０に油粕、鶏糞、牛糞、化成肥料等の肥料を予め投入し、底面１１に網目隙間２９を有する容器式ブロックや平板素材製ブロックを使用する場合は緑化パネル５１の二次水槽内４２に油粕、鶏糞、牛糞、化成肥料等の肥料を予め投入しておく。
土饅頭状に土盛りした茄子の根元の周囲には、厚み２ｃｍ程度の土壌層を積層しておく。土壌層は、茄子１株の根元を中心にして半径１０ｃｍ前後の円を描くように積層し、その周囲を囲むように天然芝生３８を敷き込む。
因みに、丈２０〜３０ｃｍに成長したペチュニア１株当たりの一日の吸水量は約２リットルであった。
茄子やペチュニア等の炎天下で渇き撓りつつも暑さに耐える植物の多くは、水があればあるだけ吸い上げるようであり、そのことからすれば、多孔質填料２１は、そのような植物を植栽することによって汚水処理資材としても利用し得、又、緑化パネル５１や緑化装置５９を汚水処理装置として利用することも出来る。
【００７４】
真夏の屋外水槽の水位は１日に付き総じて１０ｍｍ前後下がり、屋外水槽に嵌め込んだ嵩比重０．２５・厚さ５０ｍｍのカーペット廃棄物製多孔質填料内（２１）の水位は１日に付き総じて５ｍｍ前後下がり、屋外水槽に嵌め込んで天然芝生３８を敷き込んだ嵩比重０．２５・厚さ５０ｍｍのカーペット廃棄物製多孔質填料内（２１）の水位は１日に付き総じて７ｍｍ前後下がる。従って、ブロック１４の溢水口３１から槽底４７までの深さｅを２ｃｍ前後とし、緑化パネル５１の止水壁４３からブロック１４の溢水口３１までの水面４８の落差ｆを１ｃｍ前後にし、三次水槽５３の堰５４の高さ（Ｘ）を緑化パネル５１の止水壁４３の高さ（ｈ）よりも若干高くし（Ｘ≧ｈ）、三次水槽５３の堰５４の高さ（Ｘ）を概して３ｃｍ前後にすれば、２〜３日に付き１回、即ち、週に２回程度の割合で三次水槽５３の一部分、或いは、三次水槽５３に敷き詰めた一部の緑化パネル５１に水道ホースから放水して給水すればよく、屋上緑化に伴う水遣りに格別手間取ることはない。
【００７５】
勿論、屋上の基盤４９に敷き詰めた一部の緑化パネル５１の一部のブロック１４の空洞に水道栓をセットし、その一部のブロック１４から緑化装置全体５９にチョロチョロと常時極僅かな給水量をもって垂れ流すように給水することも出来る。
その場合、三次水槽５３の堰５４の高さ（Ｘ）を概して３ｃｍ前後に設定しておけば、屋上の基盤４９に作用する水の総質量は３０ｋｇ／ｍ2 以下となり、ブロック１４や多孔質填料２１、防水材４０、仕切材４４・５０、防水シート５５、足圧分散緩衝材兼砂防シート６３等の屋上緑化資材に水の総質量を加えた屋上緑化に伴う総質量が５０ｋｇ／ｍ2 を越えることはなく、天然芝生３８も土砂を払い除けて敷き込むので、降雨量の多いときでも天然芝生を加えた屋上緑化に伴う総質量が６０ｋｇ／ｍ2 を越えることはない。
屋上緑化に伴い屋上の基盤４９に作用する総質量の軽量化のためには、ブロック１４や多孔質填料２１、仕切材４４・５０、足圧分散緩衝材兼砂防シート６３には、質量の軽いポリオレフィン系繊維・樹脂を使用するとよく、多孔質填料２１としては、ポリオレフィン系扁平断面繊維糸条に成る嵩比重が０．０２〜０．０６の糸束２２を使用することが推奨される。しかし、水槽４２・５３の漏水防止のためには、防水材４０と防水シート５５には、耐候・耐光性の点でポリエステル樹脂か天然または合成ゴムを使用することが推奨される。
【００７６】
先に述べたように、土砂、特に、鹿沼土や赤玉土等の吸湿性と保水性に富む多孔質土砂では、多孔質填料内から立ち上る水分を捉えて湿潤状態になる水分捕捉機能が認められ、多孔質填料にポリプロピレンテープヤーンに成る嵩比重が０．０４の糸束２２を使用した場合、夏期の日照りの日に多孔質填料内（２１）の水位（水面４８）が多孔質填料の上端に積層された赤玉土の積層（植栽層３９）から１０ｃｍ前後下がっていても、赤玉土は結露しているかのように濡れて輝いており、  タフテッドカーペットの耳端に成る嵩比重が０．３５の平板素材製ブロック内（１４）の水位（水面４８）が表面１１に積層された畑の土壌の積層（植栽層３９）から５ｃｍ前後下がっていても、夏期の日照りの日に畑の土壌は黒ずんで湿潤している。
又、過去の実験において、ポリプロピレンテープヤーンに成る嵩比重が０．０４の糸束２２を使用した場合、夏期の日照りの日に多孔質填料内（２１）の水位（水面４８）が多孔質填料の上端に積層された層厚み２ｃｍ前後の畑の土壌の積層（植栽層３９）から２０ｃｍ前後下がっていても、その層厚み２ｃｍ前後の畑の土壌の積層に植栽されたネギやケール等の野菜類が枯れることはなく生えていることが確認されている。
従って、基盤４９が水深２０ｃｍの水圧２００ｋｇ／ｍ2 に耐える耐力屋上では、嵩比重が０．１０以下の平板素材製ブロック１４や多孔質填料２１、特に、ポリプロピレンテープヤーンに成る嵩比重が０．０２〜０．０６の糸束２２を使用し、その上に根６０や茎６１に付着して残る程度に土砂を叩き落した天然芝生３８を敷き込むことによって、１ヶ月に付き１回程度の割合で水道ホースから放水して給水すれば済み、屋上緑化に伴う水遣りが大きく軽減されることになる。
【００７７】
先に述べたように、屋上緑化のためには、屋上の全面を覆う連続した広大な水槽は必ずしも必要ではなく、小さな水槽が点在していても、その点在する水槽と水槽の間の距離が、天然芝生の茎が伸びる範囲であれば、その水槽と水槽の間の水のない部分では、その点在する水槽の水を得て生育する天然芝生から伸びた茎によって緑化される。従って、緑化パネル５１の二次水槽４２に敷き詰める一部のブロック１４を、レンガやタイルに替えることも出来、その飛び飛びに配置されるレンガやタイルによって緑化パネルに足場を設け、天然芝生を踏み歩かずに済むようにすることも出来る。その場合、レンガやタイルによって二次水槽４２が傷つけられないようにするため、底面側１２を塞いで一次水槽３０を形成したブロック１４（図７参照）のような容器を不織布その他の布帛によって作り、その布製容器にレンガやタイルを納めて使用することが望ましい。
【００７８】
施工された天然芝生の上を踏み歩くとき、ブロック間の目地６８に足跡６６が確実に重なって付き、歩行者の体重が目地６８を構成している周壁２０や仕切材１４に支えられて安定するようにするためには、履物のサイズが概して３０ｃｍ前後であり、又、床面や路面に汎用されるレンガやタイルのサイズ（縦横の寸法）が概して７０〜１５０ｍｍであることから、ブロック１４のサイズ（ｍ，ｎ）をレンガやタイルのサイズに合わせて７０〜１５０ｍｍにし、ブロック１４の表面１１の周縁１５に接する表面外接円１６と底面１２の周縁に接する底面外接円の各直径（Ｄo ) が共に７０〜２３０ｍｍにすることが推奨される。
そのようにブロック１４のサイズ（ｍ，ｎ）をレンガやタイルのサイズと同等にすると、レンガやタイルを扱う感覚でブロック１４を取り扱うことが出来、屋上緑化の施工効率が高まる。又、ブロック１４のサイズ（ｍ，ｎ）をレンガやタイルのサイズと同等にする場合は、一部のブロック１４の一次水槽３０が枯渇しても、そのブロック１４から続く茎６１が近隣のブロック１４の一次水槽３０の水を得ることが出来、又、根６０を降ろすブロック間の隙間も多くなるので、天然芝生の生育に好ましい環境が整えられる。
本発明において、ブロック１４の周縁１５が接する表面外接円１６の直径（Ｄo ) を７０ｍｍ以上とするのは、ブロックのサイズが小さくなると、多孔質填料のブロックへの装填作業に手間取り、又、施工するブロックの数が増えて、施工的に屋上緑化し難くなるためである。
【００７９】
嵩上げ花壇に敷き込まれた一部の簡易水槽にピンホールが生じて貯水機能が損なわれても、それに隣り合う他の簡易水槽が貯水していれば、その貯水している簡易水槽に敷き込まれた天然芝生の茎が、その隣り合う貯水機能の失われた簡易水槽の緑化パネルへと伸び、その隣り合う緑化パネルの緑化状態が辛うじて維持される。
従って、二次水槽４２に敷き詰める一部のブロック１４を内部空洞１９のあるものとし、その内部空洞１９に顆粒５６の堆積物、繊維破片５７の堆積物、繊維糸条の糸束２２、布帛の裁断屑や平板素材２５の集積物を装填し、それらの多孔質填料２１によって保水機能をブロック１４に付与し、或いは又、その内部空洞１９の底面側１２を塞いだ一次水槽３０によって貯水機能をブロック１４に付与することが望ましい。
【００８０】
その一次水槽３０を形成したブロック１４では、その周側面１３の底面１２から表面１１に到る間に溢水口３１を設けると、一次水槽３０の水位が表面１１に達することはなく、水面４８と植栽層３９との間に空隙が保たれて天然芝生３８の生育に好ましい環境が出来、二次水槽４２に給水すれば一次水槽３０に水が流れ込むことになり、一次水槽に逐一個別に給水する手間が省け、給水管理が楽になる。
ブロックの周側面１３が二次水槽の止水壁４３や仕切材４４に触れて溢水口３１が塞がれることがないようするため、又、第１ブロック１４Ａと第２ブロック１４Ｂから成るブロック１４では、第２ブロック１４Ｂの溢水口３１が第１ブロック１４Ａの周側面１３Ａに塞がれることがないようするために、ブロックの周側面１３に窪み６４を付設し、その窪み６４の内部に、好ましくは図６に図示するように、ブロック１４の上下方向に向けて溢水口３１が開けることが望ましい。
【００８１】
平板素材２５に使用する布帛は織物でも編物でも不織布でもよく、又、パイルや起毛毛羽のある有毛布帛でもよく、タイルカーペットやカーペットはパイルのないニードルパンチフエルトであってもタフテッドカーペットやウイルトンカーペットのようにパイルを有するものであってもよい。平板素材２５には、布帛の他にプラスチックフィルムやシート、プラスチック製平板等も使用することが出来、又、ペットボトル等のプラスチック製容器も裁断して用いることが出来る。
【００８２】
先に述べたように、ルーヒング等の可撓性に富むプラスチック黒色フィルムでは、その素材である高分子物質（ポリマー）が耐候性を有するとしても、その可撓性を保つために配合される可塑剤その他の助剤が加水分解を起こし、或いは、その加水分解を太陽光の赤外線や熱線などの電磁波が促進し、プラスチック黒色フィルムが劣化・変質・脆化してピンホールが生じ易くなる。又、可撓性を付与するためにルーヒング等のプラスチックフィルムやプラスチックシートに付与されて溶出する可塑剤は、植物の生育を阻害する。従って、二次水槽４２に用いる防水材４０には、ポリエステル樹脂塩化ビニル、ポリオレフィン樹脂等の高分子物質（ポリマー）成分に対する可塑剤の配合量が１００Ｐ．Ｈ．Ｒ以下、好ましくは５０Ｐ．Ｈ．Ｒ以下の硬質板状の防水材を使用し、又、可塑剤には分子量の高い高分子量可塑剤を使用する。
【００８３】
三次水槽５３は、必ずしも必要ではないが、屋上やベランダでは防水処理が施されているので、その防水処理の施された屋上やベランダの周辺を堰止めて三次水槽とすることも出来る。漏水防止のためには、一次水槽３０を二次水槽４２に敷き詰め、二次水槽４２を三次水槽５３に敷き詰めているが、更に、三次水槽５３を四次水槽に敷き詰め、四次水槽を五次水槽に敷き詰め、五次水槽を六次水槽に敷き詰め、六次水槽を七次水槽に敷き詰めると言うように水槽を嵌込式多重分割複合水槽にすることも出来る。その場合、二次水槽４２と三次水槽５３を仕切材４４・５０によって仕切っているように、四次水槽以降の多次水槽の内部を仕切材によって縦横に仕切り、そこに敷き詰める水槽を嵌め込む凹部を形成する。
成長した天然芝生３８ではその茎６１の絡み合った植栽層自体３９によってブロック間１４・１４や緑化パネル間５１・５１が連結され、それらの間でブロック１４や緑化パネル５１がズレ動くことはないので、それらの間を仕切る仕切材４４・５０は格別強いものとする必要はなく、それらの仕切材４４・５０の厚みは２ｍｍ前後の薄いものであってもよい。
【００８４】
容器式ブロック１４の空洞１９は、溢水口３１を設ける場合を除き、二次水槽の槽底４７と植栽層３９によって表面１１と底面１２が塞がれた気密空間を形成するように非通気性の周壁２０で囲んで構成し、空洞１９に降ろした根が外気に触れて乾燥することがないように空洞内１９を加湿状態に保つ。
【００８５】
ブロック１４の表面１１の上には、植栽層３９からの土砂等が空洞１９に流入するのを防ぐために、網目構造物（ネット）や通気性布帛（薄手の不織布やメッシュ布帛）等の砂防シート６３を積層するとよい。
【００８６】
緑化パネル５１の格子枠内４５には、内部空洞１９を有する容器式ブロック１４や内部空洞１９を有しない平板素材製ブロック１４の他に多孔質填料２１だけを装填して使用することも出来る。その場合には、三次水槽５３の中に敷き詰めた緑化パネル５１の上に砂防シート６３が積層される。
【００８７】
最も簡便、軽量、且つ、安価な屋上緑化法は、ブロック１４や多孔質填料２１を使用することなく、格子枠４５を二次水槽内部４２に嵌め込んだ緑化パネル５１を屋上の基盤４９に敷き詰め、その上に敷き込んだ砂防シート６３の上に天然芝生３８を敷き詰めることである。しかし、その方法では、二次水槽４２が枯渇した場合、天然芝生の根６０は、太陽光や基盤４９からの輻射熱を直接受ける過酷な乾燥状態に曝され、一日の中に枯死する危険は余りにも高い。そのような危険を避けるためには、緑化パネル５１の格子枠内４５に遮光機能と防乾機能を有する平板素材製ブロック１４（図９参照）を嵌め込み、その平板素材製ブロック１４によって基盤４９からの輻射熱を防ぐと共に、その平板素材製ブロック１４の内部空隙１８によって天然芝生の根６０を包んで根６０からの水分に蒸発を防ぐ方法と、緑化パネル５１の格子枠内４５に一次水槽３０付き容器式ブロック１４（図６参照）を嵌め込み、その容器式ブロック１４の一次水槽３０の水によって天然芝生の根６０を加湿状態にする方法との何れかの方法をとることが推奨される。
【００８８】
これらの二つの方法には、それぞれ一長一短がある。即ち、平板素材製ブロックは、カーペットその他の布帛の耳端等の産業廃棄物によって安価に得られ、遮光機能と防乾機能と保水機能を有するが、産業廃棄物のリサイクル品であるが故に色が不揃いになり、天然芝生の下に隠れるとしても商品としての見映えが悪い。一方、一次水槽３０付き容器式ブロックは、小型の成形機で済むとしてもプラスチック成形品としてそれなりのコストがかかる。
【００８９】
しかし、これらの二つの方法を比較した場合、一次水槽付き容器式ブロックは、コスト高になるとしても、内部が空洞になっている一種のプラスチック容器であり、平板素材製ブロックに比して軽量であり、商品としての見映えもよい。
これらの点を考慮すると、一般家庭での屋上緑化には貯水機能を有する一次水槽付き容器式ブロックが推奨され、建築土木業者や造園業者が施工する屋上緑化には遮光機能と防乾機能と保水機能を有する平板素材製ブロックが推奨される。
一次水槽付き容器式と平板素材製の何れのブロック１４を使用する場合にも、ブロック１４のサイズ（ｍ，ｎ）、即ち、ブロック１４の周縁１５に接する外接円１６の直径（Ｄo ) を７０〜２３０ｍｍにし、天然芝生の上を踏み歩く足跡６６がブロック間の目地６８に出来、歩行者の体重が緑化パネル５１の格子枠全体４５に分散して体が安定に支えられるようにすることが推奨される。又、天然芝生の上を踏み歩く足圧（体重）が緑化パネル５１の格子枠全体４５に分散して体が安定に支えられるようにするために、砂防シート６３を足圧分散緩衝材として緑化パネル５１の上に敷き込むことが推奨される。
【００９０】
一次水槽付き容器式ブロックの使用においては、その内部が空洞１９に、荷造り紐に汎用されている純正のブラスチック扁平糸に成る嵩比重が０．１以下の軽く嵩高に脹らんだ糸束２２を装填して使用することが、簡便、軽量、安価、且つ、確実な屋上緑化法として推奨される。
【００９１】
一般家庭において純個人的に最も簡便、軽量、安価、且つ、確実に屋上やベランダ、テラス等を緑化するには、矩形断面のペットポトルを輪切りにして深さ（ｂ）５〜７ｃｍの簡易一次水槽付き容器式ブロック３０とし、それに古着や廃棄する使い古しの毛布や簡易敷物等のボロ切れを平板素材２５として束ね、或いは、巻き鮨のように丸めて装填して多孔質填料２１とし、その装填した簡易一次水槽付き容器式ブロック３０を屋上やベランダ、テラス等に並べ、その上に使い古しの防虫網等のメッシュ材を足圧分散緩衝材兼砂防シート６３として被せ、その上に市販の天然芝生３８を敷き込み、水を掛けて簡易一次水槽付き容器式ブロック３０を満杯状態に維持する。
土砂を取り除いて天然芝生を敷き込む場合は、ブロックに根を降ろし易くするために、その敷込後少なくとも２〜３週間程度はフェンス等を被せて天然芝生をブロックの表面１１に圧着状態にしておくとよい。
ペットポトルを利用した簡易一次水槽付き容器式ブロック３０は、その縦横の寸法（ｍ，ｎ）が直径（Ｄo ) １５０ｍｍ前後の外接円１６に外接する大きさであり、足跡６６は並べた簡易一次水槽付き容器式ブロック３０の目地６８に出来、又、足圧分散緩衝材兼砂防シート６３として敷き込んだ防虫網等のメッシュ材や天然芝生３８にペットポトル内の空洞１９が塞がれるので、爪先や踵がペットポトル内にめり込むことはない。
尚、成長した天然芝生の植栽層３９は、足圧分散緩衝材兼砂防シート６３ともなるので、一般家庭において個人的に屋上やベランダ、テラスを緑化する場合には、防虫網等をペットポトル（３０）の上に被せることは必ずしも必要とされない。
【００９２】
そのように、一般家庭において輪切りにしたペットポトル（３０）を並べて緑化する場合でも、仕切材４４Ａ・４４Ａによってペットポトル（３０）のズレを無くし、又、その並べるペットポトル（３０）の下に使い古しの毛布や簡易敷物等と共にブラスチックフィルムを敷き込んで簡易二次水槽４２とすることが推奨される。その場合、輪切りにしたペットポトル（３０）の底面１２から２ｃｍ前後となる位置（ｅ）に溢水口３１を開けておくとよい。
【００９３】
輪切りにしたペットポトルやボロ切れは、見映えが悪いとしても天然芝生３８に覆われているので屋上やベランダ、テラス等の外観を損なうことはなく、敷き込んだ天然芝生３８によって綺麗に飾られ、本発明の実用性が評価される。
このようにしてペットポトルやボロ切れ等のゴミ類も新たな資源として再生され、産業廃棄物だけではなく一般家庭ゴミの排出量も少なくなる等、本発明は、産業廃棄物や一般家庭ゴミのリサイクルによって生活環境の改善を図る上でも効果的である。
【００９４】
緑化パネル４１や緑化装置５９を、イベント会場やレストラン、ビャガーデン等に搬入し、畳みを敷き詰めるように敷き詰めて使用するレンタル式にする場合は、凹部６９にブロック１４や多孔質填料２１を装填した緑化パネル４１の格子枠４５の底面に下敷き材を張設すると共に表面に足圧分散緩衝材兼用砂防シート６３を張設し、又、や緑化装置５９では仕切材５０に囲まれる凹部６９に緑化パネル４１を装填すると共に底面に下敷き材を張設すると共に表面に足圧分散緩衝材兼用砂防シート６３を張設し、それら表裏の下敷き材と足圧分散緩衝材兼用砂防シート６３を仕切材４４・５０を間に挟んで紐で繋ぎ合わせるなど縫合するように連結し、表裏の下敷き材と足圧分散緩衝材兼用砂防シート６３と表裏間の仕切材４４・５０を一体化し、緑化パネル４１や緑化装置５９を襖や屏風のように内部空隙層を有する複合積層構造物として二次水槽４２や三次水槽５３に嵌め込んで構成するとよい。
そのようにすると、緑化パネル４１や緑化装置５９は、仕切材４４・５０を間に挟んで表裏する下敷き材と足圧分散緩衝材兼用砂防シート６３に補強され、襖や屏風や畳みのように構造が安定して軽く移動し易いものとなる。
その場合、多孔質填料２１として嵩比重が０．０２〜０．０６の糸束２２を使用すると、移動に際して水切れがよく、水を含んだ布団にように重くならず、軽く移動し易い緑化パネル４１や緑化装置５９が得られる。そして、二次水槽４２や三次水槽５３は、天然芝生３８の根６０を覆って保湿状態にまもる乾燥防止材として機能するので、移動中に天然芝生３８が枯れることはなく、従って、二次水槽４２や三次水槽５３を貯水状態にする必要はなく、二次水槽４２や三次水槽５３の水を抜いて移動することも出来、又、緑化パネル４１や緑化装置５９を傾斜させ或いは裏返しにして移動することも可能になる。
【００９５】
従って、本発明の特徴は、仕切材（４４・５０）を縦横に配置してブロック１４や多孔質填料２１や緑化パネル４１などの資材を嵌込・装填する縦横の仕切材（４４・５０）に囲まれた凹部（５２・６９）を形成した格子枠（４５）の表面に足圧分散緩衝材兼用砂防シート６３を重ね合わせ、その格子枠（４５）の裏面に下敷き材を重ね合わせて嵌込・装填するブロック１４や多孔質填料２１や緑化パネル４１などの資材の脱落を防ぐ凹部（５２・６９）の裏底を形成し、凹部（５２・６９）を貫通する連結材によって格子枠（４５）の表裏の足圧分散緩衝材兼用砂防シート６３と下敷き材を格子枠（４５）を介して連結し、表裏の足圧分散緩衝材兼用砂防シート６３と下敷き材と格子枠（４５）を一体化して成り、格子枠（４５）の少なくとも何れかの凹部（５２・６９）にブロック１４と多孔質填料２１と緑化パネル４１の何れかが嵌込・装填されている緑化下敷きフレームにもある。
【００９６】
この緑化下敷きフレームは、二次水槽４２や三次水槽５３などの水槽に嵌め込まれ、その嵌め込んだ緑化下敷きフレームの上に天然芝生を敷き詰めて使用される。
その緑化下敷きフレームの格子枠（４５）の凹部（５２・６９）の内部の大きさは、直径７０〜４２０ｍｍの外接円（Ｄo ) に外接し且つ直径５０ｍｍ以上の内接円（Ｄi ) に内接する大きさであればよい。
従って、その凹部５２に嵌め込む緑化パネル４１の大きさも直径４２０ｍｍ以下の外接円（Ｄo ) に外接する大きさにする。
しかし、直径４２０ｍｍ以上の外接円（Ｄo ) に外接する大きさの緑化パネルを使用する場合は、凹部５２も直径４２０ｍｍ以上の外接円（Ｄo ) に外接する大きさにし、その大きい凹部５２に大きい大型の緑化パネルを嵌込・装填し、それとは別の大きい凹部５２には、その大きい凹部５２の内部を仕切材で縦横に仕切って小さい凹部（６９）を設け、その小さい凹部（６９）には小型の緑化パネルやブロック１４や多孔質填料２１を嵌込・装填する。
そのように格子枠（４５）の凹部（５２・６９）には、仕切材で縦横に仕切って小さい凹部（６９）を設けることも出来る。
【００９７】
格子枠（４５）の表裏に重ね合わせる足圧分散緩衝材兼用砂防シート６３と下敷き材には、１０〜５０ｍｍの概して２０ｍｍ前後となる間隔をもって太さが１〜７ｍｍの線状部材を配置したネットやメッシュ材を使用するとよい。
足圧分散緩衝材兼用砂防シート６３と下敷き材は、それぞれその複数枚を重ね合わせて格子枠（４５）の表裏に重ね合わせることが出来る。
格子枠（４５）の厚みは５０〜１００ｍｍとし、それに足圧分散緩衝材兼用砂防シート６３と下敷き材を重ね合わせた緑化下敷きフレーム全体の厚みは１２０ｍｍ以下になるようにする。
緑化下敷きフレームの縦横の寸法は８０〜３５０ｃｍに、好ましくは８０〜２４０ｃｍに、更に好ましくは横８０〜１２０ｃｍ・縦１６０〜２４０ｃｍの長方形にし、移動時にエレベータに持ち込める大きさにする。
多孔質填料２１に紡績原綿や布団綿状の繊維集合体や顆粒５６を使用する場合は、飛散しないように袋等に装填して使用するとよい。
【００９８】
その場合、多孔質填料２１として扁平率が１０００以上のポリプロピレンテープヤーンに成る糸束２２を使用すると、緑化パネル４１や緑化装置５９を著しく軽量化することが出来、多孔質填料２１の嵩比重が０．０２〜０．０６であることから、極軽く、移動し易く、敷き詰め易く、極安価な緑化パネル４１や緑化装置５９が得られる。
その移動する各緑化パネル４１や緑化装置５９には記号や番号などの符号を付け、その符号に従って敷き詰めると、敷き詰められて隣り合う緑化パネル４１や緑化装置５９の天然芝生３８の生え具合の差異をつなぎ目が目立たず、移動して敷き詰めた後に移動前の外観が再現される。
【図面の簡単な説明】
【００９９】
【図１】本発明に係る緑化装置の断面図である。
【図２】本発明に係る緑化装置の断面図である。
【図３】本発明に係る緑化装置の平面図である。
【図４】本発明に係る天然芝生植栽ブロックの断面図である。
【図５】本発明に係る天然芝生植栽ブロックの断面図である。
【図６】本発明に係る天然芝生植栽ブロックの断面図である。
【図７】本発明に係る天然芝生植栽ブロックの断面図である。
【図８】本発明に係る天然芝生植栽ブロックの一部切截組立斜視図である。
【図９】本発明に係る天然芝生植栽ブロックの製造過程での斜視図である。
【図１０】本発明に係る緑化パネルの組立斜視図である。
【図１１】本発明に係る一次水槽付きブロックの組立斜視図である。
【図１２】本発明に係る天然芝生植栽ブロックの斜視図である。
【符号の説明】
【０１００】
１１：表面
１２：底面
１３：周側面
１４：ブロック
１５：表面の周縁
１６：外接円
１７：内接円
１８：空隙
１９：空洞
２０：周壁
２１：填料
２２：糸束
２３：繊維糸条の端末（上端）
２４：繊維糸条の端末（下端）
２５：平板素材
２６：平板素材間隙間
２７：結束部材
２８：桿材
２９：網目隙間
３０：一次水槽
３１：溢水口
３２：平板素材の断面
３３：ブロックの正面
３４：ブロックの背面
３５：平板素材の平板面
３６：ブロックの側面
３７：平板素材の側縁
３８：天然芝生
３９：植栽層
４０：防水材
４１：周縁
４２：二次水槽
４３：止水壁
４４：仕切材
４５：格子枠
４６：嵌合溝
４７：槽底
４８：二次水槽の水面
４９：基盤
５０：仕切材
５１：緑化パネル
５２：凹部
５３：三次水槽
５４：堰
５５：防水シート
５６：顆粒
５７：繊維破片
５８：水
５９：緑化装置
６０：根
６１：茎
６２：葉軸
６３：砂防シート
６４：窪み
６５：集積体
６６：足跡
６７：セパレーター
６８：目地
６９：凹部
７０：ドリル
７１：貫通孔
７２：連結桿
ａ  ：第１ブロックの周壁の内側の高さ
ｂ  ：第２ブロックの周壁の外側の高さ
ｃ  ：多孔質填料の高さ
ｄ  ：多孔質填料の高さと第２ブロックの周壁の外側の高さの差
ｅ  ：ブロックの溢水口から槽底までの深さ
ｆ  ：緑化パネルの止水壁からブロックの溢水口までの水面の落差
ｇ  ：緑化パネルの水位
ｈ  ：止水壁の高さ
ｍ  ：ブロックの寸法
ｎ  ：ブロックの寸法
ｐ  ：仕切材の配置間隔
ｑ  ：仕切材の配置間隔
ｔ  ：平板素材の厚み
Ｄo ：外接円の直径
Ｄi ：内接円の直径
Ｈ  ：ブロックの高さ
Ｓ  ：周壁の厚み
Ｔ  ：ブロックの厚み
Ｘ  ：堰の高さ
【図１】
2010022312.tif 000003
【図２】
2010022312.tif 000004
【図３】
2010022312.tif 000005
【図４】
2010022312.tif 000006
【図５】
2010022312.tif 000007
【図６】
2010022312.tif 000008
【図７】
2010022312.tif 000009
【図８】
2010022312.tif 000010
【図９】
2010022312.tif 000011
【図１０】
2010022312.tif 000012
【図１１】
2010022312.tif 000013
【図１２】
2010022312.tif 000014